(57)【特許請求の範囲】
【請求項１】
二次元（２Ｄ）コンテンツまたは三次元（３Ｄ）コンテンツを提供するためのデジタル放送コンテンツの伝送方法において、
前記二次元コンテンツ並びに三次元コンテンツのうち少なくとも一つを含むコンテンツを符号化し、前記コンテンツの符号化されたデータを含む基本ストリームを生成する段階と、
前記デジタル放送コンテンツのＥＰＧ（electronic  program  guide）情報を含むサービス付加情報を生成し、前記サービス付加情報に、前記二次元コンテンツまたは三次元コンテンツの再生方式を示すための二次元／三次元コンテンツ識別情報、前記二次元コンテンツと前記三次元コンテンツとの間の関連関係を示す二次元／三次元コンテンツリンク情報、及び前記ＥＰＧ情報が表示されるＥＰＧ画面を三次元で再生するためのＥＰＧ  ３Ｄ再生情報のうち少なくとも一つを挿入する段階と、
前記基本ストリーム及び前記サービス付加情報を多重化して伝送ストリームを生成する段階と、を含み、
前記二次元／三次元コンテンツリンク情報の関連サービスに関する情報がリンク叙述子に挿入されることを特徴とするデジタル放送コンテンツ伝送方法。
【請求項２】
前記サービス付加情報生成段階は、
前記デジタル放送コンテンツのサービス単位またはイベント単位ごとに、現在コンテンツに係わる前記二次元／三次元コンテンツ識別情報、前記二次元／三次元コンテンツリンク情報、及び前記ＥＰＧ  ３Ｄ再生情報のうち少なくとも一つを決定し、前記サービス付加情報に挿入する段階を含むことを特徴とする請求項１に記載のデジタル放送コンテンツ伝送方法。
【請求項３】
前記サービス付加情報生成段階は、
ＡＴＳＣ（Advanced  Television  System  Committee）方式のＰＳＩＰ（program  specific  information  protocol）情報のうち、ＶＣＴ（virtual  channel  table）情報、ＥＩＴ（event  information  table）情報、ＥＴＴ（extended  text  table）情報、ＲＲＴ（rating  region  table）情報及びＳＴＴ（system  time  table）、並びにＤＶＢ（digital  video  broadcasting）方式のＳＩ（service  information）情報のうち、ＢＡＴ（bouquet  association  table）情報、ＮＩＴ（network  information  table）、ＳＤＴ（service  description  table）情報及びＥＩＴ情報のうち少なくとも一つに、前記二次元／三次元コンテンツ識別情報、前記二次元／三次元コンテンツリンク情報、及び前記ＥＰＧ  ３Ｄ再生情報のうち少なくとも一つを挿入する段階を含むことを特徴とする請求項２に記載のデジタル放送コンテンツ伝送方法。
【請求項４】
前記デジタル放送コンテンツ伝送方法は、
現在チャネルを介して伝送される現在コンテンツと関連した関連三次元コンテンツを伝送するための関連チャネルを決定する段階をさらに含み、
前記サービス付加情報生成段階は、前記現在チャネルと前記関連チャネルとの結合関係についての情報を示す３Ｄチャネル結合情報を、前記サービス付加情報に挿入する段階を含むことを特徴とする請求項１に記載のデジタル放送コンテンツ伝送方法。
【請求項５】
前記サービス付加情報生成段階は、
ＡＴＳＣ方式によるＶＳＢ（vestigial  side  band）データフィールド同期信号のフィールド同期信号及びＰＳＩＰ情報、ＤＶＢ方式のＴＰＳ（transmission  parameter  signalling）情報、Ｌ１シグナリングデータ及びＳＩ情報のうち少なくとも一つに、前記３Ｄチャネル結合情報を挿入する段階を含むことを特徴とする請求項４に記載のデジタル放送コンテンツ伝送方法。
【請求項６】
二次元コンテンツまたは三次元コンテンツを提供するためのデジタル放送コンテンツの受信方法において、
受信された伝送ストリームから、前記二次元コンテンツ並びに三次元コンテンツのうち少なくとも一つを含むコンテンツの符号化されたデータが含まれた基本ストリームと、前記デジタル放送コンテンツに係わるサービス付加情報と、を逆多重化する段階と、
前記サービス付加情報から、前記デジタル放送コンテンツのＥＰＧ（electronic  program  guide）画面を構成するためのＥＰＧ情報、前記二次元コンテンツまたは前記三次元コンテンツの再生方式を示す二次元／三次元コンテンツ識別情報、前記二次元コンテンツと前記三次元コンテンツとの間の関連関係を示す二次元／三次元コンテンツリンク情報、及び前記ＥＰＧ画面を三次元で再生するためのＥＰＧ  ３Ｄ再生情報のうち少なくとも一つを抽出する段階と、
前記基本ストリームから、前記コンテンツの符号化されたデータを抽出して復号化し、前記コンテンツを復元する段階と、
前記二次元／三次元コンテンツ識別情報、二次元／三次元コンテンツリンク情報、及び前記ＥＰＧ  ３Ｄ再生情報のうち少なくとも一つに基づいて、前記復元されたコンテンツと前記ＥＰＧ画面とを二次元または三次元で再生する段階と、を含み、
前記二次元／三次元コンテンツリンク情報の関連サービスに関する情報がリンク叙述子に挿入されることを特徴とするデジタル放送コンテンツ受信方法。
【請求項７】
前記サービス付加情報抽出段階は、前記サービス付加情報から、前記デジタル放送コンテンツのサービス単位またはイベント単位ごとに、現在コンテンツに係わる前記二次元／三次元コンテンツ識別情報、前記二次元／三次元コンテンツリンク情報、及び前記ＥＰＧ  ３Ｄ再生情報のうち少なくとも一つを抽出する段階を含み、
前記再生段階は、前記二次元／三次元コンテンツ識別情報、前記二次元／三次元コンテンツリンク情報、及び前記ＥＰＧ  ３Ｄ再生情報のうち少なくとも一つに基づいて、前記ＥＰＧ画面に、現在コンテンツが、前記二次元コンテンツまたは前記三次元コンテンツであるか否かを表示する段階を含むことを特徴とする請求項６に記載のデジタル放送コンテンツ受信方法。
【請求項８】
前記サービス付加情報抽出段階は、
ＡＴＳＣ（Advanced  Television  System  Committee）方式のＰＳＩＰ（program  specific  information  protocol）情報のうち、ＶＣＴ（virtual  channel  table）情報、ＥＩＴ（event  information  table）情報、ＥＴＴ（extended  text  table）情報、ＲＲＴ（rating  region  table）情報及びＳＴＴ（system  time  table）情報、並びにＤＶＢ（digital  video  broadcasting）方式のＳＩ（service  information）情報のうち、ＢＡＴ（bouquet  association  table）情報、ＮＩＴ（network  information  table）情報、ＳＤＴ（service  description  table）情報及びＥＩＴ情報のうち少なくとも一つから、前記二次元／三次元コンテンツ識別情報、前記二次元／三次元コンテンツリンク情報、及び前記ＥＰＧ  ３Ｄ再生情報のうち少なくとも一つを抽出する段階を含むことを特徴とする請求項７に記載のデジタル放送コンテンツ受信方法。
【請求項９】
前記再生段階は、
前記二次元／三次元コンテンツ識別情報、及び前記二次元／三次元コンテンツリンク情報のうち少なくとも一つを判読し、チャネル単位、サービス単位及びイベント単位のうち少なくとも１つの単位で三次元コンテンツを選別し、前記ＥＰＧ画面に、前記選別された三次元コンテンツを含む三次元サービス情報を表示する段階を含むことを特徴とする請求項７に記載のデジタル放送コンテンツ受信方法。
【請求項１０】
前記デジタル放送コンテンツ受信方法は、
前記サービス付加情報から、前記現在チャネルを介して伝送される現在コンテンツと関連した関連三次元コンテンツを伝送するための関連チャネルと、前記現在チャネルとの結合関係についての情報を示す３Ｄチャネル結合情報を抽出する段階と、
前記３Ｄチャネル結合情報に基づいて、前記関連チャネルを検出する段階と、をさらに含むことを特徴とする請求項６に記載のデジタル放送コンテンツ受信方法。
【請求項１１】
前記３Ｄチャネル結合情報抽出段階は、
ＡＴＳＣ方式によるＶＳＢ（vestigial  side  band）データフィールド同期信号のフィールド同期信号及びＰＳＩＰ情報、ＤＶＢ方式のＴＰＳ情報、Ｌ１シグナリングデータ及びＳＩ情報のうち少なくとも一つから、前記３Ｄチャネル結合情報を抽出する段階を含むことを特徴とする請求項１０に記載のデジタル放送コンテンツ受信方法。
【請求項１２】
二次元コンテンツまたは三次元コンテンツを提供するためのデジタル放送コンテンツ伝送装置において、
前記二次元コンテンツ並びに三次元コンテンツのうち少なくとも一つを含むコンテンツを符号化し、前記コンテンツの符号化されたデータを含む基本ストリームを生成する基本ストリーム生成部と、
前記デジタル放送コンテンツのＥＰＧ（electronic  program  guide）情報を含むサービス付加情報に、前記二次元コンテンツまたは三次元コンテンツの再生方式を示すための二次元／三次元コンテンツ識別情報、前記二次元コンテンツと前記三次元コンテンツとの間の関連関係を示す二次元／三次元コンテンツリンク情報、及び前記ＥＰＧ情報が表示されるＥＰＧ画面を三次元で再生するためのＥＰＧ  ３Ｄ再生情報のうち少なくとも一つを挿入するサービス付加情報生成部と、
前記基本ストリーム及び前記サービス付加情報を多重化して伝送ストリームを生成する伝送ストリーム生成部と、を含み、
前記二次元／三次元コンテンツリンク情報の関連サービスに関する情報がリンク叙述子に挿入されることを特徴とするデジタル放送コンテンツ伝送装置。
【請求項１３】
二次元コンテンツまたは三次元コンテンツを提供するためのデジタル放送コンテンツ受信装置において、
受信された伝送ストリームから、前記二次元コンテンツ並びに三次元コンテンツのうち少なくとも一つを含むコンテンツの符号化されたデータを含む基本ストリームと、前記デジタル放送コンテンツに係わるサービス付加情報と、を逆多重化する伝送ストリーム逆多重化部と、
前記サービス付加情報から、前記デジタル放送コンテンツのＥＰＧ（electronic  program  guide）画面を構成するためのＥＰＧ情報、前記二次元コンテンツまたは前記三次元コンテンツの再生方式を示す二次元／三次元コンテンツ識別情報、前記二次元コンテンツと前記三次元コンテンツとの間の関連関係を示す二次元／三次元コンテンツリンク情報、及び前記ＥＰＧ画面を三次元で再生するためのＥＰＧ  ３Ｄ再生情報のうち少なくとも一つを抽出するサービス付加情報抽出部と、
前記基本ストリームから、前記コンテンツの符号化されたデータを抽出して復号化し、前記コンテンツを復元するコンテンツ復元部と、
前記二次元／三次元コンテンツ識別情報、二次元／三次元コンテンツリンク情報、及び前記ＥＰＧ  ３Ｄ再生情報のうち少なくとも一つに基づいて、前記復元されたコンテンツを二次元または三次元で再生する再生部と、を含み、
前記二次元／三次元コンテンツリンク情報の関連サービスに関する情報がリンク叙述子に挿入されることを特徴とするデジタル放送コンテンツ受信装置。
【請求項１４】
請求項１に記載のデジタル放送コンテンツ伝送方法を、コンピュータで具現するためのプログラムが記録されたコンピュータで読み取り可能な記録媒体。
【請求項１５】
請求項６に記載のデジタル放送コンテンツ受信方法を、コンピュータで具現するためのプログラムが記録されたコンピュータで読み取り可能な記録媒体。
【発明の詳細な説明】
【技術分野】
【０００１】
本発明は、二次元コンテンツまたは三次元コンテンツを提供するためのデジタル放送コンテンツの送受信方法に関する。
【背景技術】
【０００２】
臨場感と立体感とを伴った三次元コンテンツへの要求が高まっている。三次元で再生されるように制作された放送用コンテンツまたは放送用番組も登場している。
【０００３】
放送受信装置は、放送番組を介して提供されるビデオ情報とオーディオ情報とを再生しつつ、ビデオと共に、ＥＰＧ（electronic  program  guide）情報を画面上に表示し、番組またはチャネルに係わる付加情報を提供することができる。
【０００４】
デジタル放送伝送システムは、放送番組のストリームと共に、番組またはチャネルに係わる付加情報を、単純テキスト形態で伝送する。デジタルＴＶ（ＤＴＶ：digitalＴＶ（television））が、放送番組と共に受信した番組またはチャネルに係わる付加情報を利用して、ＥＰＧ画面を構成する。視聴者は、ＥＰＧ画面を利用し、現在のチャネルや現在の番組についての情報を得て、チャネルまたは番組を選択して転換することができる。
【０００５】
デジタル放送システムを介して提供される放送コンテンツが多様化するにつれ、チャネルまたは番組を説明するために必要な付加情報が増加している。
【発明の概要】
【発明が解決しようとする課題】
【０００６】
本発明は、デジタル放送システムの電子番組ガイドを利用して、二次元コンテンツまたは三次元コンテンツを提供するデジタル放送コンテンツに係わる多様な情報を提供し、ユーザが電子番組ガイドを効果的に利用することを可能にするものである。
【課題を解決するための手段】
【０００７】
本発明の一実施形態によって、二次元コンテンツまたは三次元コンテンツを提供するためのデジタル放送コンテンツの伝送方法は、前記二次元コンテンツ並びに三次元コンテンツのうち少なくとも一つを含むコンテンツを符号化し、前記コンテンツの符号化されたデータを含む基本ストリームを生成する段階と、前記デジタル放送コンテンツのＥＰＧ（electronic  program  guide）情報を含むサービス付加情報に、前記二次元コンテンツまたは三次元コンテンツの再生方式を示すための二次元／三次元（２Ｄ／３Ｄ）コンテンツ識別情報、前記二次元コンテンツ及び前記三次元コンテンツの関連関係を示す２Ｄ／３Ｄコンテンツリンク情報、及び前記ＥＰＧ情報が表示されるＥＰＧ画面を三次元で再生するためのＥＰＧ  ３Ｄ再生情報のうち少なくとも一つを挿入する段階と、前記基本ストリーム及び前記サービス付加情報を多重化して伝送ストリームを生成する段階と、を含む。
【図面の簡単な説明】
【０００８】
【図１】一実施形態によるデジタル放送コンテンツ伝送装置のブロック図である。
【図２】一実施形態によるデジタル放送コンテンツ受信装置のブロック図である。
【図３】ＡＴＳＣ（Advanced  Television  System  Committee）方式のＰＳＩＰ（program  specific  information  protocol）情報の階層的構造を図示する図面である。
【図４】ＤＶＢ（digital  video  broadcasting）方式によるデジタル放送コンテンツの伝送構造を図示する図面である。
【図５】ＤＶＢ方式のＳＩ（service  information）情報の階層的構造を図示する図面である。
【図６】ＡＴＳＣ方式のＰＳＩＰ情報のうち、ＴＶＣＴ（terrestrial  virtual  channel  table）情報のシンタックスを図示する図面である。
【図７】ＡＴＳＣ方式のＰＳＩＰ情報のうち、ＥＩＴ（event  information  table）情報のシンタックスを図示する図面である。
【図８】ＡＴＳＣ方式のＰＳＩＰ情報のうち、ＥＴＴ（extended  text  table）情報のシンタックスを図示する図面である。
【図９】ＡＴＳＣ方式のＰＳＩＰ情報のうち、ＲＲＴ（rating  region  table）のシンタックスを図示する図面である。
【図１０】ＡＴＳＣ方式のＰＳＩＰ情報のうち、ＳＴＴ（system  time  table）情報のシンタックスを図示する図面である。
【図１１】ＡＴＳＣ方式のＰＳＩＰ情報のうち、ＴＶＣＴ情報、ＲＲＴ情報、ＥＴＴ情報、ＥＩＴ情報及びＳＴＴ情報に基づいて、ＥＰＧ（electronic  program  guide）情報が表示された画面を図示する図面である。
【図１２】ＤＶＢ方式のＳＩ情報のうち、ＢＡＴ（bouquet  association  table）情報のシンタックスを図示する図面である。
【図１３】ＤＶＢ方式のＳＩ情報のうち、ＮＩＴ（network  information  table）情報のシンタックスを図示する図面である。
【図１４】ＤＶＢ方式のＳＩ情報のうち、ＳＤＴ（service  description  table）のシンタックスを図示する図面である。
【図１５】ＤＶＢ方式のＳＩ情報のうち、ＥＩＴ（event  information  table）情報のシンタックスを図示する図面である。
【図１６】一実施形態によるデジタル放送コンテンツ受信装置が、サービス付加情報を利用して、放送コンテンツとＥＰＧ画面とを再生する動作の概要図である。
【図１７】一実施形態によるデジタル放送コンテンツ受信装置が、サービス付加情報を利用して、三次元放送コンテンツと、三次元ＥＰＧ画面とを表示するための動作の概要図である。
【図１８】ＳＤＴ情報の叙述子のうち、サービス叙述子のシンタックス及びサービス叙述子のサービスタイプ情報のテーブルを図示する図面である。
【図１９】ＢＡＴ情報及びＮＩＴ情報の叙述子のうち、サービスリスト叙述子のシンタックスと、サービスリスト叙述子のサービスタイプ情報のテーブルとを図示する図面である。
【図２０】一実施形態によって、サービス単位の二次元コンテンツ並びに三次元コンテンツの関連関係と、イベント単位の二次元コンテンツ並びに三次元コンテンツの関連関係とを図示する図面である。
【図２１】一実施形態によって、サービス単位の二次元コンテンツ並びに三次元コンテンツの関連関係と、イベント単位の二次元コンテンツ並びに三次元コンテンツの関連関係とを図示する図面である。
【図２２】一実施形態による二次元サービス及び三次元サービスの関連関係によるサービス単位の２Ｄ／３Ｄコンテンツリンク情報を図示する図面である。
【図２３】一実施形態による二次元イベント及び三次元イベントの関連関係によるイベント単位の２Ｄ／３Ｄコンテンツリンク情報を図示する図面である。
【図２４】一実施形態による２Ｄ／３Ｄコンテンツ識別情報または２Ｄ／３Ｄコンテンツリンク情報を利用して、三次元コンテンツが表示されたＥＰＧ画面を図示する図面である。
【図２５】一実施形態による２Ｄ／３Ｄコンテンツ識別情報または２Ｄ／３Ｄコンテンツリンク情報を利用して具現された三次元チャネル間のチャネルホッピング（channel  hoppingを支援するＥＰＧ画面及び一般ＥＰＧ画面を図示する図面である。
【図２６】一実施形態によって、ＮＩＴ情報に挿入された２Ｄ／３Ｄコンテンツリンク情報に基づいて具現した、三次元チャネル用ＥＰＧ画面を図示する図面である。
【図２７】一実施形態によって、ＢＡＴ情報の叙述子として挿入された２Ｄ／３Ｄコンテンツ識別情報または２Ｄ／３Ｄコンテンツリンク情報を利用して、三次元チャネル間のチャネルホッピングを具現する方式を図示する図面である。
【図２８】一実施形態によるデジタル放送コンテンツ伝送装置の三次元コンテンツ伝送のための関連チャネル決定方式のフローチャートである。
【図２９】ＡＴＳＣ方式によるＶＳＢ（vestigial  side  band）データフィールド同期信号の構造を図示する図面である。
【図３０】ＤＶＢ方式によるＴＰＳ（transmission  parameter  signalling）情報の構造を図示する図面である。
【図３１】ＤＶＢ方式によるＬ１シグナリング（Ｌ１  signalling）データの構造を図示する図面である。
【図３３】Ｌ１プレシグナリング（Ｌ１  pre−signalling）データと、Ｌ１ポストシグナリング（Ｌ１  post−signalling）データのシグナリングフィールドとを図示する図面である。
【図３４】一実施形態によって、現在チャネルの関連チャネルが隣接した場合と、隣接していない場合とを図示する図面である。
【図３５】一実施形態によって、現在チャネルの関連チャネルが隣接した場合と、隣接していない場合とを図示する図面である。
【図３６】一実施形態によるデジタル放送コンテンツ伝送方法のフローチャートである。
【図３７】一実施形態によるデジタル放送コンテンツ受信方法のフローチャートである。
【発明を実施するための形態】
【０００９】
本発明の一実施形態によって、二次元（２Ｄ）コンテンツまたは三次元（３Ｄ）コンテンツを提供するためのデジタル放送コンテンツの伝送方法は、前記二次元コンテンツ並びに三次元コンテンツのうち少なくとも一つを含むコンテンツを符号化し、前記コンテンツの符号化されたデータを含む基本ストリームを生成する段階と、前記デジタル放送コンテンツのＥＰＧ（electronic  program  guide）情報を含むサービス付加情報に、前記二次元コンテンツまたは三次元コンテンツの再生方式を示すための２Ｄ／３Ｄコンテンツ識別情報、前記二次元コンテンツ及び前記三次元コンテンツの関連関係を示す２Ｄ／３Ｄコンテンツリンク情報、及び前記ＥＰＧ情報が表示されるＥＰＧ画面を三次元で再生するためのＥＰＧ  ３Ｄ再生情報のうち少なくとも一つを挿入する段階と、前記基本ストリーム及び前記サービス付加情報を多重化して伝送ストリームを生成する段階と、を含む。
【００１０】
一実施形態による前記サービス付加情報生成段階は、前記デジタル放送コンテンツのサービス単位またはイベント単位ごとに、現在コンテンツに係わる前記２Ｄ／３Ｄコンテンツ識別情報、前記２Ｄ／３Ｄコンテンツリンク情報、及び前記ＥＰＧ  ３Ｄ再生情報のうち少なくとも一つを決定し、前記サービス付加情報に挿入する段階を含むことができる。
【００１１】
一実施形態による前記デジタル放送コンテンツ伝送方法は、現在チャネルを介して伝送される現在コンテンツと関連した関連三次元コンテンツを伝送するための関連チャネルを決定する段階をさらに含み、前記サービス付加情報生成段階は、前記現在チャネルと前記関連チャネルとの結合関係についての情報を示す３Ｄチャネル結合情報を、前記サービス付加情報に挿入する段階を含んでもよい。
【００１２】
本発明の一実施形態によって、二次元コンテンツまたは三次元コンテンツを提供するためのデジタル放送コンテンツの受信方法は、受信された伝送ストリームから、前記二次元コンテンツ並びに三次元コンテンツのうち少なくとも一つを含むコンテンツの符号化されたデータが含まれた基本ストリームと、前記デジタル放送コンテンツに係わるサービス付加情報を逆多重化する段階と、前記サービス付加情報から、前記デジタル放送コンテンツのＥＰＧ画面を構成するためのＥＰＧ情報、前記二次元コンテンツまたは前記三次元コンテンツの再生方式を示す２Ｄ／３Ｄコンテンツ識別情報、前記二次元コンテンツ及び前記三次元コンテンツの関連関係を示す２Ｄ／３Ｄコンテンツリンク情報、及び前記ＥＰＧ画面を三次元で再生するためのＥＰＧ  ３Ｄ再生情報のうち少なくとも一つを抽出する段階と、前記基本ストリームから前記コンテンツの符号化されたデータを抽出して復号化し、前記コンテンツを復元する段階と、前記２Ｄ／３Ｄコンテンツ識別情報、２Ｄ／３Ｄコンテンツリンク情報、及び前記ＥＰＧ  ３Ｄ再生情報のうち少なくとも一つに基づいて、前記復元されたコンテンツを二次元または三次元で再生してＥＰＧ画面を再生する段階と、を含む。
【００１３】
一実施形態による前記サービス付加情報抽出段階は、前記サービス付加情報から、前記デジタル放送コンテンツのサービス単位またはイベント単位ごとに、現在コンテンツに係わる前記２Ｄ／３Ｄコンテンツ識別情報、２Ｄ／３Ｄコンテンツリンク情報、及び前記ＥＰＧ  ３Ｄ再生情報のうち少なくとも一つを抽出する段階を含み、前記再生段階は、前記２Ｄ／３Ｄコンテンツ識別情報に基づいて、前記ＥＰＧ画面に、現在コンテンツが、前記二次元コンテンツまたは前記三次元コンテンツであるか否かを表示する段階を含んでもよい。
【００１４】
一実施形態による前記デジタル放送コンテンツ受信方法は、前記サービス付加情報から、前記現在チャネルを介して伝送される現在コンテンツと関連した関連三次元コンテンツを伝送するための関連チャネルと、前記現在チャネルとの結合関係についての情報を示す３Ｄチャネル結合情報を抽出する段階と、前記３Ｄチャネル結合情報に基づいて、前記関連チャネルを検出する段階と、をさらに含んでもよい。
【００１５】
本発明の一実施形態によって、二次元コンテンツまたは三次元コンテンツを提供するためのデジタル放送コンテンツ伝送装置は、前記二次元コンテンツ並びに三次元コンテンツのうち少なくとも一つを含むコンテンツを符号化し、前記コンテンツの符号化されたデータを含む基本ストリームを生成する基本ストリーム生成部；前記デジタル放送コンテンツのＥＰＧ情報を含むサービス付加情報に、前記二次元コンテンツまたは三次元コンテンツの再生方式を示すための２Ｄ／３Ｄコンテンツ識別情報、前記二次元コンテンツ及び前記三次元コンテンツの関連関係を示す２Ｄ／３Ｄコンテンツリンク情報、及び前記ＥＰＧ情報が表示されるＥＰＧ画面を三次元で再生するためのＥＰＧ  ３Ｄ再生情報のうち少なくとも一つを挿入するサービス付加情報生成部；及び前記基本ストリーム及び前記サービス付加情報を多重化して伝送ストリームを生成する伝送ストリーム生成部；を含む。
【００１６】
一実施形態による前記デジタル放送コンテンツ伝送装置は、現在チャネルを介して伝送される現在コンテンツと関連した関連三次元コンテンツを伝送するための関連チャネルを決定し、前記サービス付加情報生成部は、前記現在チャネルと前記関連チャネルとの結合関係についての情報を示す３Ｄチャネル結合情報を前記サービス付加情報にさらに挿入することができる。
【００１７】
本発明の一実施形態によって、二次元コンテンツまたは三次元コンテンツを提供するためのデジタル放送コンテンツ受信装置は、受信された伝送ストリームから、前記二次元コンテンツ並びに三次元コンテンツのうち少なくとも一つを含むコンテンツの符号化されたデータを含む基本ストリームと、前記デジタル放送コンテンツに係わるサービス付加情報と、を逆多重化する伝送ストリーム逆多重化部；前記サービス付加情報から、前記デジタル放送コンテンツのＥＰＧ画面を構成するためのＥＰＧ情報、前記二次元コンテンツまたは前記三次元コンテンツの再生方式を示す２Ｄ／３Ｄコンテンツ識別情報、前記二次元コンテンツ及び前記三次元コンテンツの関連関係を示す２Ｄ／３Ｄコンテンツリンク情報、及び前記ＥＰＧ画面を三次元で再生するためのＥＰＧ  ３Ｄ再生情報のうち少なくとも一つを抽出するサービス付加情報抽出部；前記基本ストリームから、前記コンテンツの符号化されたデータを抽出して復号化し、前記コンテンツを復元するコンテンツ復元部；及び前記２Ｄ／３Ｄコンテンツ識別情報、２Ｄ／３Ｄコンテンツリンク情報、及び前記ＥＰＧ  ３Ｄ再生情報のうち少なくとも一つに基づいて、前記復元されたコンテンツを二次元または三次元で再生してＥＰＧ画面を再生する再生部；を含む。
【００１８】
一実施形態による前記サービス付加情報抽出部は、前記サービス付加情報から、前記現在チャネルを介して伝送される現在コンテンツと関連した関連三次元コンテンツを伝送するための関連チャネルと、前記現在チャネルとの結合関係についての情報を示す３Ｄチャネル結合情報をさらに抽出し、前記再生部は、前記３Ｄチャネル結合情報に基づいて、前記関連チャネルを検出して前記現在コンテンツと再生することができる。
【００１９】
本発明の一実施形態によって、二次元コンテンツまたは三次元コンテンツを提供するためのデジタル放送コンテンツ伝送装置は、前記二次元コンテンツ並びに三次元コンテンツのうち少なくとも一つを含むコンテンツを符号化し、前記コンテンツの符号化されたデータを含む基本ストリームを生成する基本ストリーム生成部；現在チャネルを介して伝送される現在コンテンツと関連した関連三次元コンテンツを伝送するために関連チャネルを決定し、前記現在チャネルと前記関連チャネルとの結合関係についての情報を示す３Ｄチャネル結合情報をサービス付加情報に挿入するサービス付加情報生成部；及び前記基本ストリーム及び前記サービス付加情報を多重化して伝送ストリームを生成し、前記伝送ストリームを、前記現在チャネルと前記関連チャネルとを介して伝送する伝送ストリーム生成部；を含む。
【００２０】
本発明の一実施形態によって、二次元コンテンツまたは三次元コンテンツを提供するためのデジタル放送コンテンツ受信装置は、受信された伝送ストリームから、前記二次元コンテンツ並びに三次元コンテンツのうち少なくとも一つを含むコンテンツの符号化されたデータを含む基本ストリームと、前記デジタル放送コンテンツに係わるサービス付加情報と、を逆多重化する伝送ストリーム逆多重化部；前記サービス付加情報から、前記現在チャネルを介して伝送される現在コンテンツと関連した関連三次元コンテンツを伝送するための関連チャネルと、前記現在チャネルとの結合関係についての情報を示す３Ｄチャネル結合情報を抽出するサービス付加情報抽出部；前記基本ストリームから、前記コンテンツの符号化されたデータを抽出して復号化し、前記現在コンテンツと前記関連三次元コンテンツとを復元するコンテンツ復元部；及び前記３Ｄチャネル結合情報に基づいて、前記関連チャネルを検出し、前記復元された現在コンテンツと関連三次元コンテンツとを三次元で再生する再生部；を含む。
【００２１】
本発明は、一実施形態によるデジタル放送コンテンツ伝送方法をコンピュータで具現するためのプログラムが記録されたコンピュータで読み取り可能な記録媒体を含む。
【００２２】
本発明は、一実施形態によるデジタル放送コンテンツ受信方法をコンピュータで具現するためのプログラムが記録されたコンピュータで読み取り可能な記録媒体を含む。
【００２３】
以下、図１ないし図３７を参照しつつ、本発明の一実施形態によって、二次元コンテンツ並びに三次元コンテンツを提供するためのデジタル放送コンテンツを伝送する方法及びそれを具現するデジタル放送コンテンツ伝送する装置の多様な実施形態と、デジタル放送コンテンツを受信して再生する方法及びそれを具現するデジタル放送コンテンツ受信装置の多様な実施形態とについて説明する。
【００２４】
まず、デジタル放送システムで使われる用語について説明する。
【００２５】
１つのネットワークは、シングルストリーム伝送システムが多重化して伝送する伝送ストリームの集合である。例えば、特定のケーブル放送システムでのあらゆるデジタルチャネルの集合が１つのネットワークと呼ばれる。
【００２６】
デジタル放送システムでサービス単位は、デジタル放送のコンテンツが伝送される所定周波数帯域のチャネルを指す。
【００２７】
デジタル放送システムで、イベント単位は、個別放送番組を指す。
【００２８】
図１は、一実施形態によるデジタル放送コンテンツ伝送装置のブロック図である。
【００２９】
一実施形態によるデジタル放送コンテンツ伝送装置１００は、基本ストリーム生成部１１０、サービス付加情報生成部１２０及び伝送ストリーム生成部１３０を含む。一実施形態によるデジタル放送コンテンツ伝送装置１００は、二次元コンテンツまたは三次元コンテンツを提供するデジタル放送コンテンツの伝送ストリームを生成し、チャネルを介して伝送する。一実施形態によるデジタル放送コンテンツ伝送装置１００によって伝送される二次元コンテンツまたは三次元コンテンツは、ビデオコンポーネント、オーディオコンポーネント及びデータコンポーネントのうち少なくとも一つを含んでもよい。
【００３０】
一実施形態による基本ストリーム生成部１１０は、二次元コンテンツ並びに三次元コンテンツのうち少なくとも一つを含むコンテンツを符号化し、コンテンツの符号化されたデータを含む基本ストリームを生成する。
【００３１】
一実施形態によるサービス付加情報生成部１２０は、三次元放送コンテンツを円滑に三次元で再生するために必要な三次元コンテンツサービス付加情報を決定する。
【００３２】
一実施形態によるサービス付加情報生成部１２０は、三次元放送コンテンツを送受信するための付加情報であって、デジタル放送コンテンツのＥＰＧ（electronic  program  guide）情報に、二次元コンテンツまたは三次元コンテンツの再生方式を表示するための「２Ｄ／３Ｄコンテンツ識別情報」、二次元コンテンツ並びに三次元コンテンツの関連関係を示す「２Ｄ／３Ｄコンテンツリンク情報」、ＥＰＧ画面を三次元で再生するための「ＥＰＧ  ３Ｄ再生情報」、及び現在コンテンツが伝送される現在チャネルと、現在コンテンツと関連した関連三次元コンテンツを伝送するための関連チャネルとのチャネル結合関係についての情報を示す「３Ｄチャネル結合情報」のうち少なくとも一つを決定することができる。
【００３３】
一実施形態によるサービス付加情報生成部１２０は、デジタル放送コンテンツに係わる付加情報及び細部情報を収録するサービス付加情報を生成する。例えば、デジタル放送システムが、ＡＴＳＣ（Advanced  Television  System  Committee）方式による場合、一実施形態によるサービス付加情報生成部１２０は、ＰＳＩＰ（program  specification  information  protocol）情報を生成することができる。デジタル放送システムが、ＤＶＢ（digital  video  broadcasting）方式による場合、一実施形態によるサービス付加情報生成部１２０は、ＳＩ（service  information）情報を生成することができる。
【００３４】
一実施形態によるサービス付加情報生成部１２０は、デジタル放送コンテンツの受信端が三次元コンテンツを三次元再生するように支援するために、三次元放送コンテンツを送受信するための付加情報を含むサービス付加情報を生成することができる。
【００３５】
一実施形態によるサービス付加情報生成部１２０は、デジタル放送コンテンツのサービス単位またはイベント単位ごとに、現在コンテンツに係わる２Ｄ／３Ｄコンテンツ識別情報を決定し、サービス付加情報を利用して、サービス単位またはイベント単位ごとに、２Ｄ／３Ｄコンテンツ識別情報を伝送することができる。
【００３６】
一実施形態による２Ｄ／３Ｄコンテンツ識別情報は、現在サービス単位または現在イベント単位のコンテンツが、二次元コンテンツ、二次元／三次元混合コンテンツ、三次元コンテンツのうち、三次元コンテンツ付加構成情報のうち一つであるかを示すことができる。三次元コンテンツ付加構成情報は、二次元コンテンツを三次元コンテンツに変換するが、深度／視差（disparity）情報、両眼視差情報、付加視点ビデオデータ、付加視点ビデオデータ及び深度／視差情報の組み合わせ、付加視点ビデオデータ及び両眼視差情報の組み合わせのうち少なくとも一つを含んでもよい。
【００３７】
一実施形態によるサービス付加情報生成部１２０は、ＡＴＳＣ方式のＰＳＩＰ情報またはＤＶＢ方式のＳＩ情報のうち、ＥＰＧ画面を構成するＥＰＧ情報を含む情報に、一実施形態による２Ｄ／３Ｄコンテンツ識別情報、２Ｄ／３Ｄコンテンツリンク情報、ＥＰＧ  ３Ｄ再生情報及び３Ｄチャネル結合情報のうち少なくとも一つを挿入することができる。
【００３８】
一実施形態によるサービス付加情報生成部１２０は、デジタル放送コンテンツがＡＴＳＣ方式に基づいて提供される場合、ＰＳＩＰ情報のうちＶＣＴ（virtual  channel  table）情報を利用して、２Ｄ／３Ｄコンテンツ識別情報を伝送することができる。
【００３９】
例えば、サービス付加情報生成部１２０は、ＶＣＴ情報のうちサービスタイプ情報に、三次元コンテンツサービス情報を追加して割り当てることができる。また、一実施形態によるサービス付加情報生成部１２０は、２Ｄ／３Ｄコンテンツ識別情報を含む叙述子を決定し、ＶＣＴ情報のうちサービスについての叙述子フィールドに挿入することができる。
【００４０】
一実施形態によるサービス付加情報生成部１２０は、デジタル放送コンテンツがＤＶＢ方式に基づいて提供される場合、ＳＩ情報のうち、ＳＤＴ（service  description  table）情報、及びＥＩＴ（event  information  table）情報のうち少なくとも一つに、２Ｄ／３Ｄコンテンツ識別情報を挿入することができる。
【００４１】
例えば、サービス付加情報生成部１２０は、ＳＤＴ情報のうち予備領域（reserved  bit）に、２Ｄ／３Ｄコンテンツ識別情報を挿入することができる。また、一実施形態によるサービス付加情報生成部１２０は、２Ｄ／３Ｄコンテンツ識別情報を含む叙述子を決定し、ＳＤＴ情報のうち、現在サービス単位に係わる叙述子フィールドに挿入することができる。
【００４２】
例えば、サービス付加情報生成部１２０は、２Ｄ／３Ｄコンテンツ識別情報を含む叙述子を決定し、ＥＩＴ情報のうち、現在イベント単位に係わる叙述子フィールドに挿入することができる。
【００４３】
また、一実施形態によるサービス付加情報生成部１２０は、ＳＤＴ情報またはＥＩＴ情報のうち、コンポーネント叙述子のコンポーネントタイプ情報及びストリームコンテンツ情報のうち少なくとも一つに、三次元コンテンツタイプを追加して割り当てることもできる。または、ＳＤＴ情報またはＥＩＴ情報のうち、コンポーネント叙述子の予備領域に、２Ｄ／３Ｄコンテンツ識別情報が挿入されもする。また、一実施形態によるサービス付加情報生成部１２０は、ＳＤＴ情報またはＥＩＴ情報のうち、コンテンツジャンル情報に、三次元コンテンツタイプを追加して割り当てることもできる。
【００４４】
一実施形態によるサービス付加情報生成部１２０は、デジタル放送コンテンツのサービス単位またはイベント単位ごとに、現在コンテンツに係わる２Ｄ／３Ｄコンテンツリンク情報を決定し、サービス付加情報を利用して、サービス単位またはイベント単位ごとに、２Ｄ／３Ｄコンテンツリンク情報を伝送することができる。
【００４５】
一実施形態による２Ｄ／３Ｄコンテンツリンク情報は、現在コンテンツと関連した関連三次元コンテンツについての情報を含んでもよい。
【００４６】
一実施形態による関連三次元コンテンツについての情報は、現在ストリームに現在コンテンツの関連三次元コンテンツが存在するか否かについての情報、二次元コンテンツ並びに三次元コンテンツが同時に伝送されるか否かを示す情報、関連三次元コンテンツが独自の三次元コンテンツデータであるか、または三次元コンテンツ付加構成情報であるかを示す情報、及び関連三次元コンテンツの三次元コンテンツフォーマット情報のうち少なくとも一つを含んでもよい。
【００４７】
一実施形態による関連三次元コンテンツについての情報は、関連三次元コンテンツの伝送タイプについての情報を含んでもよい。一実施形態による関連三次元コンテンツの伝送タイプについての情報は、関連三次元コンテンツが同一チャネル、他のチャネル、ダウンロードサービス及びＮＲＴ（non-real  time）サービス連動のうちから一つを介して伝送されることを示すことができる。
【００４８】
一実施形態によるサービス付加情報生成部１２０は、デジタル放送コンテンツがＡＴＳＣ方式に基づいて提供される場合、ＰＳＩＰ情報のうちＶＣＴ情報に、２Ｄ／３Ｄコンテンツリンク情報を挿入することができる。例えば、サービス付加情報生成部１２０は、ＶＣＴ情報のうち予備領域に、２Ｄ／３Ｄコンテンツリンク情報を挿入することができる。また、一実施形態によるサービス付加情報生成部１２０は、２Ｄ／３Ｄコンテンツリンク情報を含む叙述子を決定し、ＶＣＴ情報のうちサービスについての叙述子フィールドに挿入することができる。
【００４９】
一実施形態によるサービス付加情報生成部１２０は、デジタル放送コンテンツがＤＶＢ方式に基づいて提供される場合、ＳＩ情報のうち、ＳＤＴ情報、ＥＩＴ情報、ＢＡＴ（bouquet  association  table）情報、ＮＩＴ（network  information  table）情報のうち少なくとも一つを利用して、２Ｄ／３Ｄコンテンツリンク情報を伝送することができる。
【００５０】
一実施形態によるサービス付加情報生成部１２０は、２Ｄ／３Ｄコンテンツリンク情報を含む叙述子を決定し、ＳＤＴ情報のうちサービスについての叙述子フィールドに挿入することもできる。
【００５１】
一実施形態によるサービス付加情報生成部１２０は、ＢＡＴ情報またはＮＩＴ情報のうちサービスリスト叙述子のうち、サービスタイプ情報に三次元コンテンツサービスタイプを追加して割り当てることができる。一実施形態によるサービス付加情報生成部１２０は、三次元コンテンツサービスタイプのコンテンツのために、２Ｄ／３Ｄコンテンツリンク情報を含む叙述子を決定し、ＢＡＴ情報またはＮＩＴ情報のサービスについての叙述子フィールドに挿入することができる。また、一実施形態によるサービス付加情報生成部１２０は、ＢＡＴ情報及びＮＩＴ情報のうちコンテンツ関連関係に係わる叙述子フィールドに、２Ｄ／３Ｄコンテンツリンク情報を挿入することができる。
【００５２】
一実施形態によるサービス付加情報生成部１２０は、現在コンテンツに係わるＥＰＧ  ３Ｄ再生情報を決定し、サービス付加情報を利用して、デジタル放送コンテンツのチャネル単位、ネットワーク単位、サービス単位またはイベント単位の１つの単位ごとに伝送することができる。
【００５３】
一実施形態によるＥＰＧ  ３Ｄ再生情報は、左視点映像及び右視点映像で、ＥＰＧ画面の位置を示す情報、ＥＰＧ画面の三次元再生時、現在コンテンツを二次元で再生するか否かについての情報のうち少なくとも一つを含んでもよい。
【００５４】
一実施形態によって、左視点映像及び右視点映像で、ＥＰＧ画面の位置を示す情報は、左視点映像及び右視点映像でのＥＰＧ画面の座標、原位置からの移動量、深度情報、視差情報のうち少なくとも一つを含んでもよい。
【００５５】
一実施形態によるサービス付加情報生成部１２０は、デジタル放送コンテンツがＡＴＳＣ方式に基づいて提供される場合、ＥＰＧ  ３Ｄ再生情報を含む叙述子を決定し、ＰＳＩＰ情報のうち、ＶＣＴ情報、ＥＩＴ情報、ＲＲＴ（rating  region  table）情報及びＳＴＴ（system  time  table）情報のうち少なくとも１つの情報の叙述子フィールドに挿入することができる。
【００５６】
また、サービス付加情報生成部１２０は、ＰＳＩＰ情報のうち、ＥＴＴ（extended  text  table）情報のうち、拡張テキストメッセージ（extended  text  message）の識別情報を利用して、ＥＴＴ情報と関連したＶＣＴ情報またはＥＩＴ情報に、ＥＰＧ  ３Ｄ再生情報を伝送することもできる。
【００５７】
一実施形態によるサービス付加情報生成部１２０は、デジタル放送コンテンツがＤＶＢ方式に基づいて提供される場合、ＳＩ情報のうち、ＮＩＴ情報、ＳＤＴ情報及びＥＩＴ情報のうち少なくとも１つの情報の叙述子フィールドに、ＥＰＧ  ３Ｄ再生情報を含む叙述子を挿入することができる。
【００５８】
一実施形態によるデジタル放送コンテンツ伝送装置１００は、現在チャネルを介して伝送される現在コンテンツと関連した関連三次元コンテンツを伝送するための関連チャネルを決定することができる。この場合、サービス付加情報生成部１２０は、サービス付加情報を利用して、現在チャネルと関連チャネルとの結合関係についての情報を示す３Ｄチャネル結合情報を伝送することができる。
【００５９】
一実施形態による３Ｄチャネル結合情報は、互いに結合された複数個のチャネルを使用するか否かを示す情報、現在チャネルが主チャネルであるか付加チャネルであるかを示す情報、帯域幅サイズについての情報、関連チャネルが現在チャネルの隣接チャネルであるか否かを示す情報、及び関連チャネルの位置を示す情報のうち少なくとも一つを含んでもよい。
【００６０】
関連チャネルが現在チャネルの隣接チャネルであるならば、一実施形態によって、関連チャネルの位置を示す情報は、関連チャネルが現在チャネルの以前チャネルまたは次のチャネルであるかを示すことができる。関連チャネルが現在チャネルの隣接チャネルではないならば、一実施形態によって、関連チャネルの位置を示す情報は、関連チャネルの周波数値を示すことができる。
【００６１】
一実施形態によって、デジタル放送コンテンツがＡＴＳＣ方式に基づいて提供される場合、サービス付加情報生成部１２０は、現在ＶＳＢ（vestigial  side  band）データフィールド同期信号の予備領域に、３Ｄチャネル結合情報を挿入することができる。
【００６２】
一実施形態によって、デジタル放送コンテンツがＤＶＢ方式に基づいて提供される場合、一実施形態によるサービス付加情報生成部１２０は、現在ＴＰＳ情報の予備領域及びＬ１シグナリングデータの予備領域のうち少なくとも一つに、３Ｄチャネル結合情報を挿入することができる。
【００６３】
また、一実施形態によるデジタル放送コンテンツがＡＴＳＣ方式に基づいて提供される場合、サービス付加情報生成部１２０は、３Ｄチャネル結合情報を含む叙述子を決定し、ＰＭＴ（program  map  table）情報またはＶＣＴ情報の叙述子フィールドに挿入することもできる。
【００６４】
また、一実施形態によるデジタル放送コンテンツがＤＶＢ方式に基づいて提供される場合、サービス付加情報生成部１２０は、ＮＩＴ情報の関連タイプ情報、またはＳＤＴ情報のサービスタイプ情報に、チャネル結合サービスタイプを追加して割り当てることができる。この場合、サービス付加情報生成部１２０は、３Ｄチャネル結合情報を含む叙述子を、ＮＩＴ情報またはＳＤＴ情報の叙述子フィールドに挿入することができる。
【００６５】
一実施形態による伝送ストリーム生成部１３０は、基本ストリーム生成部１１０によって生成された基本ストリームと、サービス付加情報生成部１２０によって生成されたサービス付加情報とを多重化して伝送ストリームを生成する。一実施形態による伝送ストリーム生成部１３０は、基本ストリームは、パケット化して、ＰＥＳパケット（packetized  elementary  streamを生成し、ＰＥＳパケットとサービス付加情報とを多重化し、伝送ストリーム（transport  streamを生成することができる。一実施形態による伝送ストリーム生成部１３０によって出力された伝送ストリームは、チャネルを介して伝送される。
【００６６】
図２は、一実施形態によるデジタル放送コンテンツ受信装置のブロック図である。
【００６７】
一実施形態によるデジタル放送コンテンツ受信装置２００は、伝送ストリーム逆多重化部２１０、サービス付加情報抽出部２２０、コンテンツ復元部２３０及び再生部２４０を含む。一実施形態によるデジタル放送コンテンツ受信装置２００は、二次元コンテンツまたは三次元コンテンツを提供するためのデジタル放送コンテンツの伝送ストリームを受信し、二次元コンテンツ並びに三次元コンテンツのうち少なくとも一つを含むコンテンツを復元し、復元されたコンテンツの再生方式によって、二次元または三次元で再生することができる。
【００６８】
一実施形態による伝送ストリーム逆多重化部２１０は、伝送ストリームを受信し、伝送ストリームから基本ストリームと、デジタル放送コンテンツに係わるサービス付加情報とを逆多重化する。基本ストリームは、デジタル放送コンテンツを介して提供されるコンテンツの符号化されたデータを含んでいる。一実施形態による伝送ストリーム逆多重化部２１０は、伝送ストリームを逆多重化し、ＰＥＳパケットとサービス付加情報とを出力することができる。一実施形態による伝送ストリーム逆多重化部２１０は、ＰＥＳパケットを逆パケット化して基本ストリームを出力することができる。
【００６９】
一実施形態によるサービス付加情報抽出部２２０は、伝送ストリーム逆多重化部２１０から出力されたサービス付加情報から、ＥＰＧ画面に表示するための２Ｄ／３Ｄコンテンツ識別情報、２Ｄ／３Ｄコンテンツリンク情報及びＥＰＧ  ３Ｄ再生情報のうち少なくとも一つを抽出することができる。一実施形態による２Ｄ／３Ｄコンテンツ識別情報、２Ｄ／３Ｄコンテンツリンク情報及びＥＰＧ  ３Ｄ再生情報は、前述の一実施形態によるデジタル放送コンテンツ伝送装置１００が決定して伝送した情報と相応する。
【００７０】
一実施形態によるサービス付加情報抽出部２２０は、ＡＴＳＣ方式のＰＳＩＰ情報またはＤＶＢ方式のＳＩ情報のうち、ＥＰＧ画面を構成するＥＰＧ情報を含む情報から、一実施形態による２Ｄ／３Ｄコンテンツ識別情報、２Ｄ／３Ｄコンテンツリンク情報、ＥＰＧ  ３Ｄ再生情報及び３Ｄチャネル結合情報のうち少なくとも一つを抽出することができる。
【００７１】
一実施形態によるコンテンツ復元部２３０は、伝送ストリーム逆多重化部２１０から出力された基本ストリームから、コンテンツの符号化されたデータを抽出して復号化し、デジタル放送コンテンツを介して提供されるコンテンツを復元することができる。一実施形態によるコンテンツ復元部２３０は、二次元コンテンツ並びに三次元コンテンツのうち少なくとも一つを復元することができる。一実施形態による再生部２４０は、サービス付加情報抽出部２１０によって抽出された２Ｄ／３Ｄコンテンツ識別情報、２Ｄ／３Ｄコンテンツリンク情報及びＥＰＧ  ３Ｄ再生情報のうち少なくとも一つに基づいて、復元されたコンテンツを二次元または三次元で再生することができる。
【００７２】
一実施形態による再生部２４０は、２Ｄ／３Ｄコンテンツ識別情報、及び２Ｄ／３Ｄコンテンツリンク情報のうち少なくとも一つに基づいて、現在コンテンツを三次元で再生するために、関連した三次元コンテンツ情報を検索し、現在コンテンツを三次元で再生することができる。
【００７３】
一実施形態によるコンテンツ復元部２３０は、サービス付加情報抽出部２２０から抽出された２Ｄ／３Ｄコンテンツ識別情報、２Ｄ／３Ｄコンテンツリンク情報の三次元コンテンツフォーマット情報を利用して、三次元コンテンツの左視点映像シーケンス及び右視点映像シーケンスを復元することもできる。
【００７４】
一実施形態によるサービス付加情報抽出部２１０は、サービス付加情報から、デジタル放送コンテンツのサービス単位またはイベント単位ごとに、現在コンテンツに係わる２Ｄ／３Ｄコンテンツ識別情報を抽出することができる。この場合、再生部２４０は、２Ｄ／３Ｄコンテンツ識別情報に基づいて、ＥＰＧ画面に現在コンテンツが二次元コンテンツまたは三次元コンテンツであるかを表示することができる。
【００７５】
一実施形態による再生部２４０は、２Ｄ／３Ｄコンテンツ識別情報に基づいて、現在サービス単位または現在イベント単位のコンテンツが、二次元コンテンツ、二次元／三次元混合コンテンツ、三次元コンテンツにおいて、三次元コンテンツ付加構成情報のうち、いかなるものであるかを判読し、現在コンテンツの再生方式を決定することができる。一実施形態の他の三次元コンテンツ付加構成情報は、深度／視差情報、両眼視差情報、付加視点ビデオデータ、付加視点ビデオデータ及び深度／視差情報の組み合わせ、付加視点ビデオデータ及び両眼視差情報の組み合わせのうち少なくとも一つを含んでもよい。
【００７６】
一実施形態によるサービス付加情報抽出部２１０は、デジタル放送コンテンツがＡＴＳＣ方式に基づいて提供される場合、ＰＳＩＰ情報のうちＶＣＴ情報から、２Ｄ／３Ｄコンテンツ識別情報を抽出することができる。一実施形態によるサービス付加情報抽出２１０は、ＶＣＴ情報のうちサービスタイプ情報から、三次元コンテンツサービスタイプを判読することができる。一実施形態によるＶＣＴ情報のうちサービスについての叙述子フィールドから、２Ｄ／３Ｄコンテンツ識別情報を含む叙述子が抽出されもする。
【００７７】
一実施形態によるサービス付加情報抽出部２１０は、デジタル放送コンテンツがＤＶＢ方式に基づいて提供される場合、ＳＩ情報のうちＳＤＴ情報及びＥＩＴ情報のうち少なくとも一つから、２Ｄ／３Ｄコンテンツ識別情報を抽出することができる。
【００７８】
一実施形態によるサービス付加情報抽出部２１０は、ＳＤＴ情報のうち予備領域から、２Ｄ／３Ｄコンテンツ識別情報を抽出することができる。また、ＳＤＴ情報のうち現在サービス単位に係わる叙述子フィールドから、２Ｄ／３Ｄコンテンツ識別情報を含む叙述子が抽出されもする。一実施形態によるサービス付加情報抽出部２１０は、ＥＩＴ情報のうち現在イベント単位に係わる叙述子フィールドから、２Ｄ／３Ｄコンテンツ識別情報を含む叙述子を抽出することができる。
【００７９】
また、一実施形態によるサービス付加情報抽出部２１０は、ＳＤＴ情報またはＥＩＴ情報のうち、コンポーネント叙述子のコンポーネントタイプ情報及びストリームコンテンツ情報のうち少なくとも一つから、三次元コンテンツサービス情報を判読することができる。一実施形態によるサービス付加情報抽出部２１０は、ＳＤＴ情報またはＥＩＴ情報のうちコンポーネント叙述子の予備領域から、２Ｄ／３Ｄコンテンツ識別情報を抽出することもできる。また、ＳＤＴ情報またはＥＩＴ情報のうち、コンテンツジャンル情報から、三次元コンテンツサービス情報が判読されもする。
【００８０】
一実施形態による再生部２４０は、２Ｄ／３Ｄコンテンツ識別情報を判読し、チャネル単位、サービス単位及びイベント単位のうち少なくとも１つの単位ごとに、放送コンテンツが二次元コンテンツであるか三次元コンテンツであるか決定し、ＥＰＧ画面に放送コンテンツの再生方式を表示することができる。
【００８１】
一実施形態によるサービス付加情報抽出部２１０は、サービス付加情報から、デジタル放送コンテンツのサービス単位またはイベント単位ごとに、現在コンテンツに係わる２Ｄ／３Ｄコンテンツリンク情報を抽出することができる。再生部２４０は、２Ｄ／３Ｄコンテンツリンク情報に基づいて、現在コンテンツと関連した関連三次元コンテンツを検出して共に三次元で再生することができる。
【００８２】
一実施形態による再生部２４０は、２Ｄ／３Ｄコンテンツリンク情報のうち、現在コンテンツの関連三次元コンテンツについての情報を判読し、関連三次元コンテンツを検出することができる。一実施形態による関連三次元コンテンツについての情報から、現在ストリームに関連三次元コンテンツが存在するか否かについての情報、二次元コンテンツ並びに三次元コンテンツが同時に伝送されるか否かを示す情報、関連三次元コンテンツが三次元コンテンツデータまたは三次元コンテンツ付加構成情報であるかを示す情報、及び関連三次元コンテンツの三次元コンテンツフォーマット情報のうち少なくとも一つが判読され、関連三次元コンテンツを検出するのに利用される。
【００８３】
一実施形態による再生部２４０は、一実施形態による関連三次元コンテンツについての情報から、関連三次元コンテンツの伝送タイプについての情報を判読することができる。一実施形態による関連三次元コンテンツの伝送タイプについての情報に基づいて、関連三次元コンテンツが、同一チャネル、他のチャネル、ダウンロードサービス及びＮＲＴサービス連動のうちから一つを介して伝送されることが判読される。
【００８４】
一実施形態によるサービス付加情報抽出部２１０は、デジタル放送コンテンツがＡＴＳＣ方式に基づいて提供される場合、ＰＳＩＰ情報のうちＶＣＴ情報から、２Ｄ／３Ｄコンテンツリンク情報を抽出することができる。例えば、ＶＣＴ情報のうち予備領域から、２Ｄ／３Ｄコンテンツリンク情報が抽出される。他の例として、ＶＣＴ情報のうちサービスについての叙述子フィールドから、２Ｄ／３Ｄコンテンツリンク情報を含む叙述子が抽出されもする。
【００８５】
一実施形態によるサービス付加情報抽出部２１０は、デジタル放送コンテンツがＤＶＢ方式に基づいて提供される場合、ＳＩ情報のうちＳＤＴ情報、ＥＩＴ情報、ＢＡＴ情報、ＮＩＴ情報のうち少なくとも一つから、２Ｄ／３Ｄコンテンツリンク情報を抽出することができる。
【００８６】
例えば、ＳＤＴ情報及びＥＩＴ情報のうちサービスについての叙述子フィールドから、２Ｄ／３Ｄコンテンツリンク情報を含む叙述子が抽出される。
【００８７】
一実施形態によるサービス付加情報抽出部２１０は、ＢＡＴ情報またはＮＩＴ情報のサービスリスト叙述子のうちサービスタイプ情報から、三次元コンテンツサービスタイプを判読することができる。
【００８８】
一実施形態によるサービス付加情報抽出部２１０は、サービスリスト叙述子から、現在サービスタイプが三次元コンテンツサービスタイプであると判読されるならば、ＢＡＴ情報またはＮＩＴ情報のサービスについての叙述子フィールドから、２Ｄ／３Ｄコンテンツリンク情報を含む叙述子を抽出することができる。また、一実施形態によるサービス付加情報抽出部２１０は、ＢＡＴ情報及びＮＩＴ情報のうちコンテンツ間の関連関係に係わる叙述子フィールドから、２Ｄ／３Ｄコンテンツリンク情報を抽出することもできる。
【００８９】
一実施形態による２Ｄ／３Ｄコンテンツリンク情報から、現在コンテンツに係わる識別情報または関連コンテンツに係わる識別情報が抽出されるので、ＥＰＧ画面に、コンテンツの再生方式を表示することができる。また、コンテンツに係わる識別情報に基づいて、三次元チャネルのみによって構成された三次元チャネル専用ＥＰＧ画面が構成されもする。
【００９０】
一実施形態によるサービス付加情報抽出部２１０は、サービス付加情報から、デジタル放送コンテンツのチャネル単位、ネットワーク単位、サービス単位及びイベント単位のうち１つの単位ごとに、現在コンテンツに係わるＥＰＧ  ３Ｄ再生情報を抽出することができる。一実施形態による再生部２４０は、ＥＰＧ  ３Ｄ再生情報に基づいて、ＥＰＧ画面を三次元で再生することができる。
【００９１】
一実施形態による再生部２４０は、ＥＰＧ  ３Ｄ再生情報から、左視点映像及び右視点映像で、ＥＰＧ画面の位置を示す情報、ＥＰＧ画面の三次元再生時、現在コンテンツを二次元で再生するか否かについての情報のうち少なくとも一つを判読することができる。一実施形態によるＥＰＧ画面の位置を示す情報は、左視点映像及び右視点映像で、ＥＰＧ画面の座標、原位置からの移動量、深度情報、視差情報のうち少なくとも一つを含んでもよい。
【００９２】
一実施形態による再生部２４０は、左視点映像及び右視点映像で、ＥＰＧ画面の位置を示す情報に基づいて、ＥＰＧ画面を左視点映像及び右視点映像上で表示することができる。
【００９３】
一実施形態によるサービス付加情報抽出部２１０は、デジタル放送コンテンツが、ＡＴＳＣ方式に基づいて提供される場合、ＰＳＩＰ情報のうち、ＶＣＴ情報、ＥＩＴ情報、ＲＲＴ情報及びＳＴＴ情報のうち少なくとも１つの情報の叙述子フィールドから、ＥＰＧ  ３Ｄ再生情報を含む叙述子を抽出することができる。また、一実施形態によるサービス付加情報抽出部２１０は、ＰＳＩＰ情報のうち、ＥＴＴ情報の拡張テキストメッセージの識別情報に基づいて、ＥＴＴ情報と関連したＶＣＴ情報またはＥＩＴ情報のＥＰＧ  ３Ｄ再生情報を含む叙述子を抽出することもできる。
【００９４】
一実施形態によるサービス付加情報抽出部２１０は、デジタル放送コンテンツがＤＶＢ方式に基づいて提供される場合、ＳＩ情報のうち、ＮＩＴ情報、ＳＤＴ情報及びＥＩＴ情報のうち少なくとも１つの情報の叙述子フィールドから、ＥＰＧ  ３Ｄ再生情報を含む叙述子を抽出することができる。
【００９５】
一実施形態によるデジタル放送コンテンツ受信装置２００は、サービス付加情報から、現在チャネルと関連チャネルとの結合関係についての情報を示す３Ｄチャネル結合情報を抽出し、３Ｄチャネル結合情報に基づいて、関連チャネルを検出することができる。
【００９６】
一実施形態によるサービス付加情報抽出部２１０は、３Ｄチャネル結合情報から、互いに結合された複数個のチャネルを使用するか否かを示す情報、現在チャネルが主チャネルであるか付加チャネルであるかを示す情報、帯域幅サイズについての情報、関連チャネルが現在チャネルの隣接チャネルであるか否かを示す情報、及び関連チャネルの位置を示す情報のうち少なくとも一つを抽出することができる。
【００９７】
一実施形態によるデジタル放送コンテンツ受信装置２００は、関連チャネルの位置を示す情報に基づいて、関連チャネルが現在チャネルの隣接チャネルであるならば、関連チャネルを、現在チャネルの以前チャネルまたは次のチャネルとして決定することができる。また、一実施形態によるデジタル放送コンテンツ受信装置２００は、関連チャネルの位置を示す情報に基づいて、関連チャネルが現在チャネルの隣接チャネルではないならば、関連チャネルの周波数値を判読し、関連チャネルを決定することができる。
【００９８】
一実施形態によるサービス付加情報抽出部２１０は、デジタル放送コンテンツがＡＴＳＣ方式に基づいて提供される場合、現在データセグメントのフィールド同期信号の予備領域から、３Ｄチャネル結合情報を抽出することができる。
【００９９】
一実施形態によるサービス付加情報抽出部２１０は、デジタル放送コンテンツがＤＶＢ方式に基づいて提供される場合、現在ＴＰＳ情報の予備領域及びＬ１シグナリングデータの予備領域のうち少なくとも一つから、３Ｄチャネル結合情報を抽出することができる。
【０１００】
また、一実施形態によるサービス付加情報抽出部２１０は、デジタル放送コンテンツがＡＴＳＣ方式に基づいて提供される場合、ＰＭＴ情報及びＶＣＴ情報の叙述子フィールドから、３Ｄチャネル結合情報を含む叙述子を抽出することもできる。また、一実施形態によるサービス付加情報抽出部２１０は、デジタル放送コンテンツがＤＶＢ方式に基づいて提供される場合、ＮＩＴ情報の関連タイプ情報、またはＳＤＴ情報のサービスタイプ情報から、チャネル結合サービスであることを判読し、ＮＩＴ情報またはＳＤＴ情報の叙述子フィールドから、３Ｄチャネル結合情報を含む叙述子を抽出することもできる。
【０１０１】
一実施形態によるデジタル放送コンテンツ受信装置２００は、サービス付加情報抽出部２１０によって抽出された３Ｄチャネル結合情報に基づいて、復元されたコンテンのうち、関連チャネルを介して関連三次元コンテンツを検索し、現在チャネルの現在コンテンツと関連三次元コンテンツとを共に三次元で再生することができる。
【０１０２】
または、一実施形態によるデジタル放送コンテンツ受信装置２００は、３Ｄチャネル結合情報に基づいて関連チャネルを検索し、関連チャネルを介して伝送される伝送ストリームだけを受信し、関連三次元コンテンツを復元し、現在コンテンツと共に三次元で再生することもできる。
【０１０３】
図３は、ＡＴＳＣ方式のＰＳＩＰ情報の階層的構造３００を図示している。
【０１０４】
ＡＴＳＣ方式のＰＳＩＰ情報は、階層的に構成されたＳＴＴ（system  time  table）情報３１０、ＲＲＴ（rating  region  table）情報３２０、ＭＧＴ（master  guide  table）情報３３０、ＶＣＴ（virtual  channel  guide）情報３４０、ＥＩＴ（event  information  table）情報３５０，３５２，３５４、ＥＴＴ（extended  text  table）情報３６０，３６２，３６４，３６６を含む。
【０１０５】
ＳＴＴ情報３１０は、現在の日付及び時間についての情報を収録する。ＲＲＴ情報３２０は、放送番組の地域別放送視聴等級についての情報を収録する。ＭＧＴ情報３３０は、ＳＴＴ情報３１０を除外した他のテーブル情報のバージョン、サイズ及びＰＩＤ（packet  identifier）情報を収録する。
【０１０６】
ＶＣＴ情報３４０は、伝送するチャネルについての情報を収録する。例えば、チャネル番号、チャネル名、キャリア周波数、番組番号などのチャネルチューニング情報が、ＶＣＴ情報３４０を介して提供される。ＶＣＴ情報３４０は、地上波デジタル放送システムで、ＴＶＣＴ（terrestrial  virtual  channel  table）情報と呼ばれ、ケーブルデジタル放送システムで、ＣＶＣＴ（cable  virtual  channel  table）情報と呼ばれる。
【０１０７】
ＥＩＴ情報３５０，３５２，３５４は、イベント、すなわち、放送番組についての簡略な情報を収録する。例えば、イベント（放送番組）の名称、放送時間などの情報が、ＥＩＴ情報３５０，３５２，３５４を介して提供される。
【０１０８】
ＥＴＴ情報３６０，３６２，３６４，３６６は、イベントに係わる付加的なテキスト情報を収録する。ＶＣＴ情報３４０とＥＩＴ情報３５０，３５２，３５４とを使用して提供されるチャネルに係わる情報及びイベントについての情報以外のテキストメッセージが、ＥＴＴ情報３６０，３６２，３６４，３６６を介して提供される。
【０１０９】
ＳＴＴ情報３１０、ＲＲＴ情報３２０、ＭＧＴ情報３３０及びＶＣＴ情報３４０は、ＰＩＤ情報値が、基本値である０ｘ１ＦＦＢを有する伝送パケットを介して伝送される。ＳＴＴ情報３１０、ＲＲＴ情報３２０、ＭＧＴ情報３３０及びＶＣＴ情報３４０は、それぞれテーブルＩＤ情報によって識別される。
【０１１０】
ＭＧＴ情報３３０は、ＥＩＴ情報３５０，３５２，３５４のＰＩＤ情報３５１，３５３，３５５と、ＥＴＴ情報３６０，３６２，３６４，３６６のＰＩＤ情報３６１，３６３，３６５，３６７を収録するので、ＭＧＴ情報３３０を利用して、ＥＩＴ情報３５０，３５２，３５４及びＥＴＴ情報３６０，３６２，３６４，３６６を含む伝送パケットが検索される。
【０１１１】
図４は、ＤＶＢ方式によるデジタル放送コンテンツの伝送構造４０５を図示している。
【０１１２】
ＤＶＢ方式によるデジタル放送コンテンツは、ネットワーク種類によって、衛星ＤＶＢサービス（satellite）４００、ケーブルＤＶＢサービス（cable）４４０及び地上波ＤＶＢサービス（terrestrial）４７０を含む。
【０１１３】
ＤＶＢサービスの多重化単位は、衛星ＤＶＢサービス４００のトランスポンダ（transponder）４１０，４１２，４１４，４１６、ケーブルＤＶＢサービス４４０のチャネル（channel）４５０，４５２，４５４及び地上波ＤＶＢサービス４７０のチャネル（channel）４８０，４８２，４８４である。
【０１１４】
１つの多重化単位が複数個のサービスを処理することができる。例えば、衛星ＤＶＢサービス４００で、１つのトランスポンダ４１２を介して、複数個のサービス（service）４２０，４２２，４２４，４２６が多重化されて伝送される。ケーブルＤＶＢサービス４４０で、１つのチャネル（channel）４５２を介して、複数個のサービスservice（４６０，４６２，４６４が多重化されて伝送される。地上波ＤＶＢサービス４７０で、１つのチャネル（channel）４８２を介して、複数個のサービス（service（４９０，４９２，４９４が多重化されて伝送される。
【０１１５】
ブーケ（bouquet）４４５は、同種ネットワークのサービスに限定されない複数個のサービスの集合であるから、異種ネットワークである衛星ＤＶＢサービス４００と、ケーブルＤＶＢサービス４４０とのサービス４２２，４２４，４２６，４６０を含んでもよい。
【０１１６】
１つのサービス４２２は、ビデオ（video）コンポーネント（component）４３０、オーディオ（audio）コンポーネント（component）４３２，４３４及びデータ（data）コンポーネント（component）４３６から構成される。ビデオコンポーネント４３０、オーディオコンポーネント４３２，４３４及びデータコンポーネント４３６のコンポーネント種類別に、複数個のコンポーネントがサービス４２２に含まれもする。
【０１１７】
図５は、ＤＶＢ方式のＳＩ情報の階層的構造５００を図示している。
【０１１８】
ＤＶＢ方式のＳＩ情報は、最小限ＮＩＴ（network  information  table）情報５１０、ＳＤＴ（service  description  table）情報５３０、ＥＩＴ（event  information  table）情報５４０及びＴＤＴ（time  date  table）情報５６０を含む。選択的には、ＤＶＢ方式のＳＩ情報は、ＮＩＴ情報５１５、ＢＡＴ（bouquet  association  table）情報５２０、ＳＤＴ情報５３５、ＥＩＴ情報５４３，５４５、ＲＳＴ（running  status  table）情報５７０、ＴＯＴ（time  offset  table）情報５８０、ＳＴ（stuffing  table）情報５９０を含んでもよい。
【０１１９】
ＮＩＴ情報５１０，５１５は、ネットワーク上で伝送される伝送ストリームの多重化に係わる物理的な構成と、ネットワーク自体の特性に関連した情報とを記述する。例えば、ＮＩＴ情報５１０，５１５は、現在ネットワークの種類、すなわち、地上波、ケーブル及び衛星であるかということや、ネットワーク名称などの情報を提供する。
【０１２０】
ＳＤＴ情報５３０，５３５は、伝送ストリーム内に含まれているサービスについての情報を記述する。例えば、ＳＤＴ情報５３０は、サービスの名称及び提供者などの情報を提供することができる。
【０１２１】
ＢＡＴ情報５２０は、ブーケのサービス集合についての情報を提供する。
【０１２２】
ＥＩＴ情報５４０，５４３，５４５は、各サービス内に属したイベント情報を日付順で提供する。例えば、ＥＩＴ情報５４０，５４３，５４５を介して、個別番組の名称、開始時間、放映時間のような情報が提供される。
【０１２３】
１つのネットワークは、シングルストリーム伝送システムが多重化して伝送する伝送ストリームの集合である。例えば、特定のケーブル放送システムでのあらゆるデジタルチャネルの集合が、１つのネットワークと呼ばれる。地上波ネットワークの場合、１つの地域、すなわち、１つの国家にあるあらゆる地上波放送運営者に、個別ネットワークのネットワーク識別子「network＿ｉｄ」が固有に割り当てられる。
【０１２４】
デジタル放送システムでサービス単位は、デジタル放送コンテンツのコンテンツが伝送される所定周波数帯域のチャネルを指す。現在ネットワークの伝送ストリーム内の他のサービスと区別するために、個別サービスのサービス識別子「service＿ｉｄ」は、固有に割り当てられる。
【０１２５】
デジタル放送システムでイベント単位は、個別放送番組を指す。現在サービス内の他のイベントと区別するために、個別イベントのイベント識別子「event＿ｉｄ」は、固有に割り当てられる。
【０１２６】
地上波ネットワークで、１つの地域または１つの国家にあるあらゆる運営者は、同じ最初ネットワーク識別子「original＿network＿ｉｄ」を使用している。地上波運営者に、国家コード「country＿code」と「０ｘ２０００」との組み合わせで構成された最初ネットワーク識別子「original＿network＿ｉｄ」が割り当てられる。ネットワーク識別子に基づいて、受信端は、多数の国家から受信された放送コンテンツを区別することができる。
【０１２７】
同じ地域または国家の放送局と運営者は、サービス識別子「service＿ｉｄ」と、伝送ストリーム識別子「transport＿stream＿ｉｄ」とを利用して、放送コンテンツを区別することができる。
【０１２８】
図６、図７、図８、図９及び図１０は、ＡＴＳＣ方式のＰＳＩＰ情報のうち、ＴＶＣＴ情報、ＥＩＴ情報、ＥＴＴ情報、ＲＲＴ情報及びＳＴＴ情報のシンタックスを図示している。
【０１２９】
一実施形態によるデジタル放送コンテンツ受信装置２００は、ＡＴＳＣ方式による場合、ＰＳＩＰ情報のうち、ＴＶＣＴ情報６００、ＥＩＴ情報７００、ＥＴＴ情報８００及びＲＲＴ情報９００、ＳＴＴ情報１０００を利用して、ＥＰＧ画面を構成することができる。
【０１３０】
図６のＴＶＣＴ情報６００が提供する基本情報であって、「transport＿stream＿ｉｄ」６１０は、現在チャネルの伝送ストリーム識別子を、「short＿channel＿name」６２０は、チャネル名略語情報を、「major＿channel＿number」６３０は、主チャネル番号情報を、「minor＿channel＿number」６４０は、付加チャネル番号情報を、「program＿number」６５０は、番組番号情報を、「ＥＴＭ＿location」６６０は、付加テキストメッセージ位置情報を、「access＿controlled」６７０は、接近制御フラグを、「service＿type」６８０は、サービスタイプ情報を提供することができる。
【０１３１】
ＴＶＣＴ情報６００の基本情報の次に収録されたループ（loop）の叙述子フィールド「descriptor（）」６９０を介して、基本情報以外に、現在チャネルに係わる追加情報が提供される。
【０１３２】
図７のＥＩＴ情報７００は、現在イベントに係わる簡略な情報を収録する。例えば、ＥＩＴ情報７００の「title＿text（）」７１０は、現在イベントの名称についての情報を、「start＿time」７２０は、現在イベントの放送開始時間についての情報を、「length＿in＿seconds」７３０は、現在イベントの放映時間についての情報を提供することができる。
【０１３３】
図８のＥＴＴ情報８００は、ＶＣＴ情報６００とＥＩＴ情報７００とを使用して提供される情報以外の付加情報を収録する。特に、ＥＴＴ情報８００の「extended＿text＿message（）」８１０は、テキストメッセージ形式の付加情報を提供する。また、付加テキストメッセージを識別するための「ＥＴＭ＿ｉｄ」８２０は、チャネルに係わる付加テキストメッセージの識別情報８３４と、イベントに係わる付加テキストメッセージの識別情報８３２とを含む。付加テキストメッセージの関連対象識別情報８３０は、チャネルに係わる付加テキストメッセージの関連チャネルの識別情報「source＿ｉｄ」と、イベントに係わる付加テキストメッセージの関連イベントの識別情報「event＿ｉｄ」とを提供する。
【０１３４】
図９のＲＲＴ情報９００は、放送番組の地域別放送視聴等級についての情報を収録する。例えば、ＲＲＴ情報９００の「rating＿region＿name＿text（）」９１０は、放送視聴等級地域名称についての情報を、「ａｂｂｒｅｖ＿rating＿value＿text（）」９１２は、放送視聴等級略語についての情報を、「rating＿value＿text（）」９１２は、放送視聴等級値についての情報を提供する。
【０１３５】
図１０のＳＴＴ情報１０００は、現在の日付及び時間についての情報を収録する。例えば、ＳＴＴ情報１０００の「system＿time」１０１０は、現在デジタル放送システムの時刻についての情報を、「ＧＰＳ＿ＵＴＣ＿offset」１０１２は、ＧＰＳ（global  positioning  system）時刻と協定世界時間との差についての情報を提供する。
【０１３６】
図１１は、ＡＴＳＣ方式のＰＳＩＰ情報のうち、ＴＶＣＴ情報６００、ＥＩＴ情報７００、ＥＴＴ情報８００、ＲＲＴ情報９００及びＳＴＴ情報１０００に基づいて、ＥＰＧ画面が表示された画面を図示している。
【０１３７】
デジタル放送コンテンツを受信するＴＶ（television）  １１００が基本コンテンツを再生する画面１１１０上で、ＥＰＧ画面１１２０が表示されている。ＥＰＧ画面１１２０の拡大画面１１３０について説明すれば、チャネル名略語情報１１３２、チャネル番号情報１１３４、地域別放送視聴等級情報１１３６、現在イベント名称／時間情報１１３８、現在イベントに係わる付加情報１１４０、現在システムの時間及び日付情報１１４２が表示されている。
【０１３８】
ＥＰＧ画面１１２０は、ＴＶＣＴ情報６００、ＥＩＴ情報７００、ＥＴＴ情報８００、ＲＲＴ情報９００及びＳＴＴ情報１０００に収録された情報に基づいて構成される。
【０１３９】
例えば、チャネル名略語情報１１３２に、ＴＶＣＴ情報６００の「short＿channel＿name」６２０から判読された情報が表示され、チャネル番号情報１１３４に、ＴＶＣＴ情報６００の「major＿channel＿number」６３０と、「minor＿channel＿number」６４０から判読された情報とが組み合わせられて表示される。
【０１４０】
地域別放送視聴等級情報１１３６に、ＲＲＴ情報９００の「rating＿region＿name＿text（）」９１０、「ａｂｂｒｅｖ＿rating＿value＿text（）」９１２及び「rating＿value＿text（）」９１２から判読された情報が組み合わせられて表示される。
【０１４１】
現在イベント名称時間情報１１３８に、ＥＩＴ情報７００の「title＿text（）」７１０、「start＿time」７２０及び「length＿in＿seconds」７３０から判読された情報が組み合わせられて表示される。
【０１４２】
現在イベントに係わる付加情報１１４０に、ＥＴＴ情報８００の「extended＿text＿message（）」８１０から判読された情報が表示される。
【０１４３】
現在システムの時間及び日付情報１１４２に、ＳＴＴ情報１０００の「system＿time」１０１０と、「ＧＰＳ＿ＵＴＣ＿offset」１０１２とから判読された情報が組み合わせられて表示される。
【０１４４】
一実施形態によるデジタル放送コンテンツ伝送装置１００が、ＡＴＳＣ方式によってデジタル放送コンテンツを提供する場合、現在コンテンツが二次元コンテンツであるか三次元コンテンツであるか識別するために定義した２Ｄ／３Ｄコンテンツ識別情報を、ＥＰＧ画面上で表示するために、ＴＶＣＴ情報６００のサービスタイプ情報「service＿type」６８０と、叙述子フィールド「descriptor（）」６９０とを利用して、２Ｄ／３Ｄコンテンツ識別情報を提供することができる。また、一実施形態による２Ｄ／３Ｄコンテンツリンク情報が、ＴＶＣＴ情報６００の叙述子フィールド「descriptor（）」６９０に挿入されて提供される。
【０１４５】
一実施形態によるデジタル放送コンテンツ伝送装置１００がＡＴＳＣ方式によって、デジタル放送コンテンツを提供する場合、ＴＶＣＴ情報６００の叙述子フィールド「descriptor（）」６９０、ＥＩＴ情報７００の叙述子フィールド「descriptor（）」７２０、ＥＴＴ情報８００の「ＥＴＭ＿ｉｄ」８２０、ＲＲＴ情報９００の叙述子フィールド「descriptor（）」９２０、及びＳＴＴ情報１０００の叙述子フィールド「descriptor（）」１０２０のうち少なくとも一つを利用して、一実施形態によるＥＰＧ  ３Ｄ再生情報を伝送することができる。
【０１４６】
また、一実施形態によるデジタル放送コンテンツ伝送装置１００が、ＡＴＳＣ方式によってデジタル放送コンテンツを提供する場合、ＴＶＣＴ情報６００の叙述子フィールド「descriptor（）」６９０と、サービスタイプ情報「service＿type」とを利用して、一実施形態による３Ｄチャネル結合情報を伝送することができる。
【０１４７】
また、一実施形態によるデジタル放送コンテンツ受信装置２００が、ＡＴＳＣ方式によって提供されたデジタル放送コンテンツを受信する場合、ＴＶＣＴ情報６００のサービスタイプ情報「service＿type」６８０と、叙述子フィールド「descriptor（）」６９０とから、２Ｄ／３Ｄコンテンツ識別情報を検出して判読し、コンテンが二次元コンテンツであるか三次元コンテンツであるかを決定し、コンテンツの再生方式をＥＰＧ画面上で表示することができる。
【０１４８】
また、一実施形態によるデジタル放送コンテンツ受信装置２００は、ＴＶＣＴ情報６００の叙述子フィールド「descriptor（）」６９０から、２Ｄ／３Ｄコンテンツリンク情報を検出して判読し、現在コンテンツと関連した三次元コンテンツを検索し、三次元で再生することができる。
【０１４９】
一実施形態によるデジタル放送コンテンツ受信装置２００が、ＡＴＳＣ方式によって提供されたデジタル放送コンテンツを受信する場合、ＴＶＣＴ情報６００の叙述子フィールド「descriptor（）」６９０、ＥＩＴ情報７００の叙述子フィールド「descriptor（）」７４０、ＥＴＴ情報８００の「ＥＴＭ＿ｉｄ」８２０、ＲＲＴ情報９００の叙述子フィールド「descriptor（）」９２０、及びＳＴＴ情報１０００の叙述子フィールド「descriptor（）」１０２０のうち少なくとも一つから、一実施形態によるＥＰＧ  ３Ｄ再生情報を検出して判読し、ＥＰＧ  ３Ｄ再生情報を利用して、ＥＰＧ画面を三次元で再生することができる。
【０１５０】
また、一実施形態によるデジタル放送コンテンツ受信装置２００が、ＡＴＳＣ方式によってデジタル放送コンテンツを提供する場合、ＴＶＣＴ情報６００の叙述子フィールド「descriptor（）」６９０と、サービスタイプ情報「service＿type」とのうち少なくとも一つから、一実施形態による３Ｄチャネル結合情報を検出して判読し、現在チャネルと関連チャネルとから抽出されたコンテンツを復元し、三次元で再生することができる。
【０１５１】
図１２、図１３、図１４及び図１５は、ＤＶＢ方式のＳＩ情報のうち、ＢＡＴ情報、ＮＩＴ情報、ＳＤＴ情報及びＥＩＴ情報のシンタックスを図示している。
【０１５２】
一実施形態によるデジタル放送コンテンツ受信装置２００が、ＤＶＢ方式による場合、ＮＩＴ情報１３００、ＳＤＴ情報１４００及びＥＩＴ情報１５００を利用して、ＥＰＧ画面を構成することができる。具体的には、一実施形態によるデジタル放送コンテンツ受信装置２００は、ＤＶＢ方式のＮＩＴ情報１３００の叙述子フィールド「descriptor（）」１３３２、ＳＤＴ情報１４００の叙述子フィールド「descriptor（）」１４２２及びＤＶＢ方式のＥＩＴ情報１５００の叙述子フィールド「descriptor（）」１５４４のうち少なくとも一つに収録された情報を利用して、ＥＰＧ画面を構成することができる。
【０１５３】
図１２のＢＡＴ情報１２００のうち、「bouquet＿ｉｄ」１２１０は、ブーケの識別情報、「transport＿stream＿ｉｄ」１２３２は、現在伝送ストリームの識別情報を提供し、「original＿network＿ｉｄ」１２３４は、放送サービスを最初に送信した地域ネットワークの固有識別情報を提供することができる。
【０１５４】
図１３のＮＩＴ情報１３００のうち、「network＿ｉｄ」１３１０は、デジタル放送コンテンツの伝送システムで、ネットワークの識別情報を提供し、再伝送時に変更可能である。「transport＿stream＿ｉｄ」１３２２は、現在ネットワークによって伝送される伝送ストリームの識別情報を提供し、「original＿network＿ｉｄ」１２３４は、放送サービスを最初に送信した地域ネットワークの固有識別情報を提供することができる。
【０１５５】
図１４のＳＤＴ情報１４００のうち、「ＥＩＴ＿schedule＿flag」１４１２は、現在伝送ストリームによって伝送される当該サービスについてのＥＩＴスケジュール情報が提供されるか否かについての情報を提供し、「ＥＩＴ＿present＿following＿flag」１４１４は、現在伝送ストリームによって伝送される当該サービスについての現在イベント及び次のイベントについての情報が提供されるか否かについての情報を提供する。サービス情報ループ１４１０に、当該サービスについての情報が収録され、叙述子フィールド「descriptor（）」１４２２を利用して、サービスについての情報を収録した拡張された叙述子が提供される。
【０１５６】
図１５のＥＩＴ情報１５００のうち、「service＿ｉｄ」１５１０は、現在伝送ストリームによって伝送されるサービスの識別情報を提供し、「section＿number」１５２０は、現在テーブルがセクション単位で区分されるとき、セクションの識別情報を提供する。１つのテーブルは、最大８個のセクションに区分される。イベント情報ループ１５３０に当該イベントについての情報が収録され、叙述子フィールド「descriptor（）」１５４２を利用して、イベントについての情報を収録した拡張された叙述子が提供される。
【０１５７】
一実施形態によるデジタル放送コンテンツ伝送装置１００が、ＤＶＢ方式によってデジタル放送コンテンツを提供する場合、ＢＡＴ情報１２００及びＮＩＴ情報１３００のサービスリスト叙述子「service  list  descriptor」のサービスタイプ情報「service＿type」、ＢＡＴ情報１２００の叙述子フィールド「descriptor（）」１２４２、ＮＩＴ情報１３００の叙述子フィールド「descriptor（）」１３３２、ＳＤＴ情報１４００の予備領域「reserved＿future＿use」１４１６及び叙述子フィールド「descriptor（）」１４２２、ＥＩＴ情報１５００の叙述子フィールド「descriptor（）」１５４２のうち少なくとも一つを利用して、２Ｄ／３Ｄコンテンツ識別情報を提供することができる。
【０１５８】
また、一実施形態によるデジタル放送コンテンツ伝送装置１００が、ＤＶＢ方式によってデジタル放送コンテンツを提供する場合、ＢＡＴ情報１２００の叙述子フィールド「descriptor（）」１２４２、ＮＩＴ情報１３００の叙述子フィールド「descriptor（）」１３３２、ＳＤＴ情報１４００の関連叙述子「linkage  descriptor」及び叙述子フィールド「descriptor（）」１４２２、ＥＩＴ情報１５００の関連叙述子「linkage  descriptor」及び叙述子フィールド「descriptor（）」１５４２のうち少なくとも一つを利用して、一実施形態による２Ｄ／３Ｄコンテンツリンク情報を提供することができる。
【０１５９】
一実施形態によるデジタル放送コンテンツ伝送装置１００が、ＤＶＢ方式によってデジタル放送コンテンツを提供する場合、ＮＩＴ情報１３００の叙述子フィールド「descriptor（）」１３３２、ＳＤＴ情報１４００の叙述子フィールド「descriptor（）」１４２２、及びＤＶＢ方式のＥＩＴ情報１５００の叙述子フィールド「descriptor（）」１５４４のうち少なくとも一つを利用して、一実施形態によるＥＰＧ  ３Ｄ再生情報を伝送することができる。
【０１６０】
また、一実施形態によるデジタル放送コンテンツ伝送装置１００が、ＤＶＢ方式によってデジタル放送コンテンツを提供する場合、ＮＩＴ情報１３００の叙述子フィールド「descriptor（）」１３３２及び関連叙述子「linkage＿descriptor」の関連タイプ情報「linkage＿type」、ＳＤＴ情報１４００の叙述子フィールド「descriptor（）」１４２２及びサービスタイプ情報「service＿type」を利用して、一実施形態による３Ｄチャネル結合情報を伝送することができる。
【０１６１】
また、一実施形態によるデジタル放送コンテンツ受信装置２００が、ＤＶＢ方式によって提供されたデジタル放送コンテンツを受信する場合、ＢＡＴ情報１２００及びＮＩＴ情報１３００のサービスリスト叙述子「service  list  descriptor」のサービスタイプ情報「service＿type」、ＢＡＴ情報１２００の叙述子フィールド「descriptor（）」１２４２、ＮＩＴ情報１３００の叙述子フィールド「descriptor（）」１３３２、ＳＤＴ情報１４００の予備領域「reserved＿future＿use」１４１６及び叙述子フィールド「descriptor（）」１４２２、ＥＩＴ情報１５００の叙述子フィールド「descriptor（）」１５４２のうち少なくとも一つから、２Ｄ／３Ｄコンテンツ識別情報を検出して判読し、現在コンテンツが二次元コンテンツであるか三次元コンテンツであるかを決定し、コンテンツの二次元／三次元再生方式をＥＰＧ画面上で表示することができる。
【０１６２】
また、一実施形態によるデジタル放送コンテンツ受信装置２００は、ＢＡＴ情報１２００の叙述子フィールド「descriptor（）」１２４２、ＮＩＴ情報１３００の叙述子フィールド「descriptor（）」１３３２、ＳＤＴ情報１４００の関連叙述子「linkage  descriptor」及び叙述子フィールド「descriptor（）」１４２２、ＥＩＴ情報１５００の関連叙述子「linkage  descriptor」及び叙述子フィールド「descriptor（）」１５４２のうち少なくとも一つから、２Ｄ／３Ｄコンテンツ関連情報を検出して判読し、現在コンテンツと関連した三次元コンテンツを検索して三次元で再生することができる。
【０１６３】
一実施形態によるデジタル放送コンテンツ受信装置２００が、ＡＴＳＣ方式によって提供されたデジタル放送コンテンツを受信する場合、ＮＩＴ情報１３００の叙述子フィールド「descriptor（）」１３３２、ＳＤＴ情報１４００の叙述子フィールド「descriptor（）」１４２２、及びＤＶＢ方式のＥＩＴ情報１５００の叙述子フィールド「descriptor（）」１５４４のうち少なくとも一つから、一実施形態によるＥＰＧ  ３Ｄ再生情報を検出して判読し、ＥＰＧ  ３Ｄ再生情報を利用して、ＥＰＧ画面を三次元で再生することができる。
【０１６４】
また、一実施形態によるデジタル放送コンテンツ受信装置２００が、ＤＶＢ方式によって提供されるデジタル放送コンテンツを受信する場合、ＮＩＴ情報１３００の叙述子フィールド「descriptor（）」１３３２と関連叙述子「linkage＿descriptor」との関連タイプ情報「linkage＿type」、ＳＤＴ情報１４００の叙述子フィールド「descriptor（）」１４２２及びサービスタイプ情報「service＿type」のうち少なくとも一つから、一実施形態による３Ｄチャネル結合情報を検出して判読し、現在チャネルと関連したチャネルから抽出されたコンテンツを復元して三次元で再生することができる。
【０１６５】
図１６は、一実施形態によるデジタル放送コンテンツ受信装置がサービス付加情報を利用して、放送コンテンツとＥＰＧ画面とを再生する動作の概要図である。
【０１６６】
デジタル放送コンテンツ受信装置１６００は、一実施形態によるデジタル放送コンテンツ受信装置１００の他の実施形態であり、ＡＴＳＣ方式のＰＳＩＰ情報またはＤＶＢ方式のＳＩ情報を利用して、デジタル放送コンテンツとＥＰＧ画面とを再生するための構造である。
【０１６７】
デジタル放送コンテンツ受信装置１６００の逆多重化部１６１０の動作は、一実施形態によるデジタル放送コンテンツ受信装置２００の伝送ストリーム逆多重化部２１０及びサービス付加情報抽出部２２０の動作に相応する。デジタル放送コンテンツ受信装置１６００の番組ガイド処理部１６４０及びコンテンツ出力部１６６０の動作は、一実施形態によるデジタル放送コンテンツ受信装置２００のコンテンツ復元部２３０及び再生部２４０の動作に相応する。
【０１６８】
逆多重化部１６１０は、伝送ストリームを受信し、ビデオビットストリーム、オーディオビットストリーム、及びＰＳＩＰ情報またはＳＩ情報の付加情報に逆多重化することができる。番組ガイド処理部１６４０は、逆多重化部１６１０から出力されたＰＳＩＰ情報またはＳＩ情報から、ＥＰＧ画面に表示するための現在番組についての情報を検出し、ＥＰＧ画面を構成することができる。
【０１６９】
コンテンツ出力部１６６０では、逆多重化部１６１０から出力されたビデオビットストリーム及びオーディオビットストリームが、それぞれビデオデコーダ１６２０及びオーディオデコーダ１６３０で復号化され、ビデオコンテンツ及びオーディオコンテンツが出力されもする。このとき、ディスプレイ処理部１６５０は、復号化されたビデオコンテンツと、番組ガイド処理部１６４０によって構成されたＥＰＧ画面とをミキシングし、ビデオコンテンツの再生画面上で、ＥＰＧ画面が表示されもする。
【０１７０】
図１７は、一実施形態によるデジタル放送コンテンツ受信装置１６００がサービス付加情報を利用して、三次元放送コンテンツと三次元ＥＰＧ画面とを表示するための動作の概要図１７００を図示している。
【０１７１】
図１６のデジタル放送コンテンツ受信装置１６００が、三次元ビデオコンテンツのデジタル放送コンテンツを受信する場合、コンテンツ出力部１６６０のビデオデコーダ１６２０によって、左視点ビデオデータ及び右視点ビデオデータが復号化され、左視点ビデオバッファ（decoded  video  Ｌ  buffer）１６７０及び右視点ビデオバッファ（decoded  video  Ｒ  buffer）１６７５にそれぞれ保存されもする。
【０１７２】
番組ガイド処理部１６４０のＰＳＩＰ／ＳＩパージング部（ＰＳＩ  or  ＳＩ  parser）１６４２がＰＳＩＰ情報またはＳＩ情報を分析し、ＥＰＧ再生情報１６４４を抽出することができる。一実施形態によるＥＰＧ再生情報１６４４は、ＥＰＧデータ（data）、ＥＰＧ画面の三次元再生のための三次元ＥＰＧ画面の位置情報「３Ｄ＿ＥＰＧ＿offset」、ＥＰＧ画面が三次元で再生されるとき、現在コンテンツの再生方式についての情報「Video＿Flat」及びサービス提供者情報「sender」を含んでもよい。
【０１７３】
ディスプレイプロセッサ１６８０は、ＥＰＧ再生情報１６４４に基づいて、左視点ビデオバッファ１６７０及び右視点ビデオバッファ１６７５から出力された左視点ビデオデータ及び右視点ビデオデータとＥＰＧ画面とをミキシングすることができる。
【０１７４】
図１６のデジタル放送コンテンツ受信装置１６００が、ＥＰＧ  ３Ｄ再生情報に基づいて、三次元ＥＰＧの左視点ＥＰＧ平面及び右視点ＥＰＧ平面を生成し、左視点ＥＰＧ平面及び右視点ＥＰＧ平面をそれぞれ左視点ビデオ及び右視点ビデオとブレンディングされ、左視点ＥＰＧ平面及び右視点ＥＰＧ平面がそれぞれ表示された左視点ビデオディスプレイ平面（Ｌ  display  plane）１６９０と右視点ビデオディスプレイ平面（Ｒ  display  plane）１６９５が構成される。
【０１７５】
ＥＰＧ  ３Ｄ再生情報に基づいて、三次元ＥＰＧ画面の左視点ＥＰＧ画面及び右視点ＥＰＧ画面を生成するために、三次元ＥＰＧオフセットを、二次元ＥＰＧ画面に視点別に異なるように適用することができる。例えば、三次元ＥＰＧオフセットが、ピクセルの左右移動距離である場合、二次元ＥＰＧ画面をｘ軸に沿って、負または正の方向にオフセットほど移動させることによって、左視点ＥＰＧ画面が生成され、正または負の方向にオフセットほど移動させることによって、右視点ＥＰＧ画面が生成される。または、三次元ＥＰＧオフセットが左右視点間の視差である場合、二次元ＥＰＧ画面は、左視点ＥＰＧ画面でもって固定し、二次元ＥＰＧ画面をｘ軸に沿って、負または正の方向にオフセットほど移動させることによって、右視点ＥＰＧ画面が生成される。
【０１７６】
このとき、三次元ＥＰＧオフセットの性格によって、三次元ＥＰＧ画面が生成される方法は変わりうる。ＥＰＧ画面の三次元再生のために、ＥＰＧ再生情報１６４４の三次元ＥＰＧ画面の位置情報「３Ｄ＿ＥＰＧ＿offset」に基づいて、左視点ビデオデータ上で、ＥＰＧ画面が表示される位置と、右視点ビデオデータ上で、それぞれＥＰＧ画面が表示される位置とが、深度、視差または両眼視差ほど調節される。
【０１７７】
左視点ビデオディスプレイ平面１６９０に、左視点ビデオデータとＥＰＧ画面との混合データが表示され、右視点ビデオディスプレイ平面１６９５に、右視点ビデオデータとＥＰＧ画面との混合データが表示されもする。ディスプレイ周波数によって往復するスイッチ１６５５を介して、左視点ビデオディスプレイ平面１６９０と、右視点ビデオディスプレイ平面１６９５とが交互に再生されることによって、コンテンツの三次元再生と共に、ＥＰＧ画面が三次元で再生される。
【０１７８】
以下、図１８ないし図３５を参照し、一実施形態による２Ｄ／３Ｄコンテンツ識別情報、２Ｄ／３Ｄコンテンツリンク情報、ＥＰＧ  ３Ｄ再生情報及び３Ｄチャネル結合情報の多様な実施形態について説明する。
【０１７９】
まず、一実施形態によるデジタル放送コンテンツ伝送装置１００が、ＡＴＳＣ方式によって、デジタル放送コンテンツを提供する場合、図６のＴＶＣＴ情報６００を参照し、一実施形態による２Ｄ／３Ｄコンテンツ識別情報と２Ｄ／３Ｄコンテンツリンク情報との使用例について説明する。
【０１８０】
表１は、ＴＶＣＴ情報６００において、サービスタイプ情報「service＿type」６２０のセマンティックス（semantics）を図示している。
【０１８１】
【表１】
0005964811.tif 000002
一実施形態によるデジタル放送コンテンツ伝送装置１００が、ＡＴＳＣ方式によって三次元コンテンツサービスを伝送する場合、現在サービスが三次元サービスタイプであることを示すために、ＴＶＣＴ情報６００の「service＿type」６２０において、値０ｘ０８ないし０ｘ３Ｆである予備領域に、「ＡＴＳＣ  ３Ｄ  Service」タイプを追加して割り当てることができる。すなわち、ＴＶＣＴ情報６００の「Service＿type」６２０に、「ＡＴＳＣ  ３Ｄ  Service」タイプが追加して割り当てられることによって、一実施形態による２Ｄ／３Ｄコンテンツ識別情報が伝送される。
【０１８２】
また、一実施形態によるデジタル放送コンテンツ伝送装置１００は、２Ｄ／３Ｄコンテンツ識別情報を含む２Ｄ／３Ｄコンテンツ識別叙述子「３Ｄ＿linking＿type＿descriptor」、及び２Ｄ／３Ｄコンテンツリンク情報を含む２Ｄ／３Ｄコンテンツリンク叙述子「３Ｄ＿linking＿descriptor」を生成し、ＴＶＣＴ情報６００のループ６０２，６０４，６０６に挿入することができる。
【０１８３】
表２は、一実施形態による２Ｄ／３Ｄコンテンツ識別叙述子「３Ｄ＿linking＿type＿descriptor」のシンタックスを図示している。
【０１８４】
【表２】
0005964811.tif 000003
「３ｄ＿linking＿type」は、三次元コンテンツを伝送する方式を記述することができる。
【０１８５】
【表３】
0005964811.tif 000004
一実施形態によって、「３ｄ＿linking＿type＝０ｘ０１」及び「３ｄ＿linking＿type＝０ｘ０２」として決定される三次元コンテンツ伝送方式の場合、それぞれ同一チャネル及び他のチャネルを介して、現在二次元コンテンツを三次元で再生するために必要な三次元付加情報が提供される。一実施形態による三次元付加情報は、付加視点ビデオ、深度情報、視差情報、両眼視差情報を含んでもよい。また、一実施形態による三次元付加情報は、２以上の三次元付加情報の組み合わせを含んでもよい。
【０１８６】
一実施形態によって、「３ｄ＿linking＿type＝０ｘ０３」として決定される三次元コンテンツ伝送方式の場合、他のチャネル、異種ネットワークまたは同一チャネルの他の時間帯を介して、三次元コンテンツをダウンロードされるダウンロードサービスが提供される。
【０１８７】
一実施形態によって、「３ｄ＿linking＿type＝０ｘ０４」として決定される三次元コンテンツ伝送方式の場合、プッシュ（push）、ブラウジング＆ダウンロード（browsing  ＆  download）、ポータル（portal）などのサービスを利用し、三次元コンテンツを提供するＮＲＴ（non-real  time）サービスが提供される。
【０１８８】
一実施形態によって、「３ｄ＿linking＿type＝０ｘ０５」である三次元コンテンツサービス方式情報の場合、現在二次元コンテンツの三次元再生のための付加情報ではない、現在二次元コンテンツの三次元ビデオコンテンツが単独で他のチャネルを介して提供される。
【０１８９】
従って、一実施形態による三次元コンテンツ伝送方式情報「３ｄ＿linking＿type」が三次元コンテンツ伝送いかんが示されるので、２Ｄ／３Ｄコンテンツ識別情報の一実施形態になる。
【０１９０】
また、一実施形態によるデジタル放送コンテンツ伝送装置１００は、一実施形態による三次元コンテンツサービス方式情報「３ｄ＿linking＿type」を、ＴＶＣＴ情報６００のループ６０２の予備領域のうち一つに挿入することもできる。
【０１９１】
表４は、一実施形態による２Ｄ／３Ｄコンテンツリンク情報を含む２Ｄ／３Ｄコンテンツリンク叙述子「channel＿linking＿descriptor」のシンタックスを図示している。
【０１９２】
【表４】
0005964811.tif 000005
「link＿major＿number」は、現在チャネルと関連した三次元コンテンツを伝送する主チャネル番号（major  channel  number）についての情報を含んでもよい。「link＿minor＿number」は、現在チャネルと関連した三次元付加情報を伝送する付加チャネル番号（minor  channel  number）についての情報を含んでもよい。
【０１９３】
「linkｅｄ＿carrier＿frequency」は、三次元付加情報を伝送するキャリア周波数についての情報、またはＲＦ（radio  frequency）信号についての情報を含んでもよい。「link＿program＿number」は、現在コンテンツと関連した三次元コンテンツが、同一番組または他の番組に存在するとき、関連三次元コンテンツを提供する関連番組番号についての情報を含んでもよい。
【０１９４】
「link＿source＿ｉｄ」は、ＶＣＴ情報と関連した三次元コンテンツサービスについてのテキスト情報を提供するためのＥＩＴ情報及びＥＴＴ情報と、ＥＩＴ情報及びＥＴＴ情報についての関連情報とを含んでもよい。
【０１９５】
「link＿ｕｒｌ＿indicator」は、関連三次元コンテンツに係わるＵＲＬ（uniform  resource  locator）アドレスがあることを示す識別子を含んでもよい。「link＿source＿ＵＲＬ」は、現在コンテンツと関連した三次元コンテンツ及び関連情報を提供するＵＲＬアドレスについての情報を含んでもよい。
【０１９６】
「link＿Service＿start＿time」は、三次元コンテンツ伝送方式がダウンロードサービス及びＮＲＴサービスである場合、関連三次元コンテンツサービスが提供される時間についての情報を含んでもよい。
【０１９７】
従って、一実施形態によるデジタル放送コンテンツ伝送装置１００は、２Ｄ／３Ｄコンテンツリンク叙述子「channel＿linking＿descriptor」を利用し、現在コンテンツの関連三次元コンテンツに係わる各種情報を記述することができるので、ＴＶＣＴ情報６００を介して、一実施形態による２Ｄ／３Ｄコンテンツリンク情報が受信端に伝送される。
【０１９８】
また、一実施形態によるデジタル放送コンテンツ受信装置２００は、ＴＶＣＴ情報６００のループ６０２，６０４，６０６に含まれた、２Ｄ／３Ｄコンテンツ識別叙述子「３Ｄ＿linking＿type＿descriptor」、または２Ｄ／３Ｄコンテンツリンク叙述子「３Ｄ＿linking＿descriptor」から、２Ｄ／３Ｄコンテンツ識別情報と、２Ｄ／３Ｄコンテンツリンク情報とを抽出して判読し、現在コンテンツが、二次元コンテンツまたは三次元コンテンツであるかを決定し、関連した三次元コンテンツを検索することもできる。また、一実施形態によるデジタル放送コンテンツ受信装置２００は、ＥＰＧ画面に、現在サービスが二次元コンテンツであるか三次元コンテンツであるか表示することもできる。
【０１９９】
以上、ＴＶＣＴ情報６００を利用し、一実施形態による２Ｄ／３Ｄコンテンツ識別情報及び２Ｄ／３Ｄコンテンツリンク情報を伝送する実施形態についてのみ記述したが、ケーブル方式によるＣＶＣＴ（Cable＿Virtual＿Channel＿Table）情報にも、表１ないし表４の２Ｄ／３Ｄコンテンツ識別情報、２Ｄ／３Ｄコンテンツ識別叙述子、２Ｄ／３Ｄコンテンツリンク情報及び２Ｄ／３Ｄコンテンツリンク叙述子が適用される。
【０２００】
以下、一実施形態によるデジタル放送コンテンツ伝送装置１００が、ＤＶＢ方式によってデジタル放送コンテンツを提供する場合、図１２、図１３、図１４及び図１５のＢＡＴ情報１２００、ＮＩＴ情報１３００、ＳＤＴ情報１４００及びＥＩＴ情報１５００を参照し、一実施形態による２Ｄ／３Ｄコンテンツ識別情報と、２Ｄ／３Ｄコンテンツリンク情報との使用例について説明する。
【０２０１】
一実施形態によるデジタル放送コンテンツ伝送装置１００は、ＳＤＴ情報１４００のサービス叙述子「Service  descriptor」のサービスタイプ情報「Service＿type」と、ＢＡＴ情報１２００及びＮＩＴ情報１３００のサービスリスト叙述子「Service  list  descriptor」のサービスタイプ情報「Service＿type」とのうち少なくとも一つに、一実施形態による２Ｄ／３Ｄコンテンツ識別情報を挿入して伝送することができる。
【０２０２】
図１８は、ＳＤＴ情報の叙述子のうち、サービス叙述子のシンタックス１８００、及びサービス叙述子のサービスタイプ情報のテーブル１８２０を図示している。
【０２０３】
ＳＤＴ情報１４００のループ１４２０の叙述子フィールド１４２２に、サービス叙述子「Service  descriptor」が挿入される。サービス叙述子「Service  descriptor」のサービスタイプ情報「Service＿type」１８１０は、現在サービスタイプの種類を記述し、サービスタイプ情報「Service＿type」１８１０のテーブル１８２０は、記述可能なサービスタイプの種類を図示する。
【０２０４】
一実施形態によるデジタル放送コンテンツ伝送装置１００は、ＳＤＴ情報１４００のサービス叙述子「Service  descriptor」のサービスタイプ情報「Service＿type」１８１０に、三次元コンテンツが提供されるサービスタイプ情報を追加して割り当てることができる。例えば、一実施形態によるデジタル放送コンテンツ伝送装置１００は、サービスタイプ情報「Service＿type」１８１０のテーブル１８２０において、予備領域１８２２，１８２４，１８２６，１８２８に、三次元コンテンツサービスを提供することを示すための三次元コンテンツサービスタイプ情報を追加して割り当てることができる。
【０２０５】
図１９は、ＢＡＴ情報及びＮＩＴ情報の叙述子のうち、サービスリスト叙述子のシンタックス１９００と、サービスリスト叙述子のサービスタイプ情報のテーブル１９２０とを図示している。
【０２０６】
ＢＡＴ情報１２００のループ１２４０の叙述子フィールド「descriptor（）」１２４２、及びＮＩＴ情報１３００のループ１３３０の叙述子フィールド「descriptor（）」１３３２のうち少なくとも一つに、サービスリスト叙述子「Service  list  descriptor」が挿入される。サービスリスト叙述子「Service  list  descriptor」のサービスタイプ情報「Service＿type」１９１０は、現在サービスタイプの種類を記述し、サービスタイプ情報「Service＿type」１９１０のテーブル１９２０は、記述可能なサービスタイプの種類を図示する。
【０２０７】
一実施形態によるデジタル放送コンテンツ伝送装置１００は、ＢＡＴ情報１２００及びＮＩＴ情報１３００のサービスリスト叙述子「Service  list  descriptor」のサービスタイプ情報「Service＿type」１９１０に、三次元コンテンツが提供されるサービスタイプ情報を追加して割り当てることができる。例えば、一実施形態によるデジタル放送コンテンツ伝送装置１００は、サービスタイプ情報「Service＿type」１９１０のテーブル１９２０において、予備領域１９２２，１９２４，１９２６，１９２８に、三次元コンテンツサービスを提供することを示すための三次元コンテンツサービスタイプ情報を追加して割り当てることができる。
【０２０８】
また、一実施形態によるデジタル放送コンテンツ受信装置２００は、ＳＤＴ情報１４００のサービス叙述子「Service  descriptor」のサービスタイプ情報「Service＿type」１８１０、ＢＡＴ情報１２００、及びＮＩＴ情報１３００のサービスリスト叙述子「Service  list  descriptor」のサービスタイプ情報「Service＿type」１９１０のうち少なくとも一つを判読し、現在コンテンツのサービスタイプが、三次元コンテンツサービスであるか否かを決定し、ＥＰＧ画面に、現在サービスが二次元コンテンツまたは三次元コンテンツであることを表示することができる。
【０２０９】
一実施形態によるデジタル放送コンテンツ伝送装置１００は、ＳＤＴ情報１４００の予備領域「reserved＿future＿use」１４１６及び叙述子フィールド「descriptor（）」１４２２、並びにＥＩＴ情報１５００の叙述子フィールド「descriptor（）」１５４２のうち少なくとも一つを利用して、一実施形態による２Ｄ／３Ｄコンテンツ識別情報を伝送ストリームに挿入することができる。
【０２１０】
ＳＤＴ情報１４００の予備領域「reserved＿future＿use」１４１６の一部領域に、一実施形態による２Ｄ／３Ｄコンテンツ識別情報を挿入し、ＳＤＴ情報１４００のループ１４１０が表５のように変形される。
【０２１１】
【表５】
0005964811.tif 000006
一実施形態による２Ｄ／３Ｄコンテンツ識別情報であって、「３ｄ＿service」がＳＤＴ情報１４００に挿入されて伝送される。
【０２１２】
表６と表７は、一実施形態による「３ｄ＿service」のセマンティックスを図示している。
【０２１３】
【表６】
0005964811.tif 000007
表６によれば、「３ｄ＿service」は、現在サービスが、二次元主視点ビデオサービス、二次元ビデオ及び三次元ビデオの混合サービス、単独三次元ビデオサービス、三次元付加情報サービスのうち一つであることを記述することができる。
【０２１４】
一実施形態による二次元主視点ビデオサービスは、現在サービスを介して、二次元ビデオサービスだけ提供したり、多視点ビデオまたはステレオ視点ビデオのうち主視点ビデオだけを提供することができる。
【０２１５】
一実施形態による二次元ビデオ及び三次元ビデオの混合ビデオサービスは、二次元ビデオと三次元ビデオとを時分割的に混用して提供することができる。
【０２１６】
一実施形態による単独三次元ビデオサービスは、サイド−バイ−サイド（side−by−side）・フォーマット、トップ−アンド−ボトム（top−and−bottom）・フォーマット、ＭＶＣ（multi−view  coding）フォーマットのように、三次元ビデオを構成する視点別情報を１つのストリームにいずれも含めて提供することができる。
【０２１７】
表７は、表６の「３ｄ＿service」のうち、三次元付加情報サービスを細分化した実施形態である。すなわち、表７による「３ｄ＿service」は、現在サービスが、二次元主視点ビデオサービス、二次元ビデオ及び三次元ビデオの混合ビデオサービス、単独三次元ビデオサービス、深度／視差（Depth／disparity  map）情報サービス、両眼視差（parallax）情報サービス、付加視点ビデオ（Ｒ  video）サービス、付加視点ビデオ及び深度情報の組み合わせサービス、並びに付加視点ビデオ及び両眼視差情報の組み合わせサービスのうち一つであることを記述することができる。
【０２１８】
一実施形態によるデジタル放送コンテンツ伝送装置１００は、一実施形態による「３ｄ＿service」を含む三次元サービス叙述子「３ｄ＿service＿descriptor」を決定し、ＳＤＴ情報１４００のうち、ループ１４２０の叙述子フィールド「descriptor（）」１４２２に挿入することができる。表８は、一実施形態によって、ＳＤＴ情報１４００のうち、叙述子フィールド「descriptor（）」１４２２に挿入される一実施形態による三次元サービス叙述子「３ｄ＿service＿descriptor」のシンタックスを図示している。
【０２１９】
【表７】
0005964811.tif 000008
一実施形態によるデジタル放送コンテンツ伝送装置１００は、一実施形態による２Ｄ／３Ｄコンテンツ識別情報を含む三次元イベント叙述子「３ｄ＿event＿descriptor」を決定し、ＥＩＴ情報１５００の叙述子フィールド「descriptor（）」１５４２に挿入することができる。
【０２２０】
表９は、一実施形態による三次元イベント叙述子「３ｄ＿event＿descriptor」のシンタックスを図示している。
【０２２１】
【表８】
0005964811.tif 000009
表１０及び表１１は、一実施形態による２Ｄ／３Ｄコンテンツ識別情報の一種である三次元イベント情報「３ｄ＿event」のセマンティックスを図示している。
【０２２２】
【表９】
0005964811.tif 000010
表１０によれば、「３ｄ＿event」は、現在イベントが、二次元主視点ビデオイベント、二次元ビデオ及び三次元ビデオの混合イベント、単独三次元ビデオイベント、三次元付加情報イベントのうち一つであることを記述することができる。
【０２２３】
表１１は、表１０の「３ｄ＿event」のうち、三次元付加情報イベントが細分化された実施形態であり、表１１によれば、「３ｄ＿event」は、現在イベントが、二次元主視点ビデオイベント、二次元ビデオ及び三次元ビデオの混合ビデオイベント、単独三次元ビデオイベント、深度／視差（Depth／disparity  map）情報イベント、両眼視差（parallax）情報イベント、付加視点ビデオ（Ｒ  video）イベント、付加視点ビデオ及び深度情報の組み合わせイベント、並びに付加視点ビデオ及び両眼視差情報の組み合わせイベントのうち一つであることを記述することができる。
【０２２４】
一実施形態によるデジタル放送コンテンツ受信装置２００は、ＳＤＴ情報１４００の予備領域「reserved＿future＿use」１４１６または叙述子フィールド「descriptor（）」１４２２の「３ｄ＿service」から、またはＥＩＴ情報１５００の叙述子フィールド「descriptor（）」１５４２の「３ｄ＿event」から、一実施形態による２Ｄ／３Ｄコンテンツ識別情報を判読し、現在コンテンツが三次元コンテンツであるか否かを判別し、ＥＰＧ画面に、現在サービスまたは現在イベントが、三次元コンテンツであるか否かを表示することができる。
【０２２５】
一実施形態によるデジタル放送コンテンツ伝送装置１００は、ＳＤＴ情報１４００の叙述子フィールド「descriptor（）」１４２２またはＥＩＴ情報１５００の叙述子フィールド「descriptor（）」１５４２のコンポーネント叙述子「component＿descriptor」を利用し、一実施形態による２Ｄ／３Ｄコンテンツ識別情報を伝送ストリームに挿入することができる。
【０２２６】
表１２は、ＳＤＴ情報１４００またはＥＩＴ情報１５００のコンポーネント叙述子「component＿descriptor」のシンタックスを図示している。
【０２２７】
【表１０】
0005964811.tif 000011
ＳＤＴ情報１４００またはＥＩＴ情報１５００のコンポーネント叙述子「component＿descriptor」のうち、コンポーネントタイプ情報「component＿type」の従来セマンティックスは、表１３による。
【０２２８】
【表１１】
0005964811.tif 000012
一実施形態によるデジタル放送コンテンツ伝送装置１００は、コンポーネント叙述子「component＿descriptor」のうち、「component＿type」の予備領域に、三次元ビデオコンポーネント・タイプ情報を追加して割り当てることができる。表１４は、一実施形態によって、「component＿type」に、三次元ビデオコンポーネント・タイプ情報を追加して割り当てた実施形態のセマンティックスを図示している。
【０２２９】
【表１２】
0005964811.tif 000013
すなわち、表１３の「component＿type」値が、０ｘ０１ないし０ｘ０Ｃであるのに対し、表１４の「component＿type」は、フィールド値０ｘ１１以後の領域を利用し、三次元ビデオコンポーネント・タイプ情報「ＭＰＥＧ−２  half  ３Ｄ  video」、または「ＭＰＥＧ−２  ３Ｄ  video」が追加して割り当てられる。表１４の「component＿type」に基づいて、二次元／三次元コンテンツ識別情報だけではなく、現在コンポーネントの解像度、縦横比、周波数などの情報も設定される。
【０２３０】
また、一実施形態によるデジタル放送コンテンツ伝送装置１００は、ＳＤＴ情報１４００またはＥＩＴ情報１５００のコンポーネント叙述子「component＿descriptor」の「component＿type」に、Ｈ．２６４方式によって符号化された伝送ストリームのための三次元ビデオコンポーネント・タイプ情報を追加して定義して挿入することができる。表１５は、Ｈ．２６４方式によって符号化された伝送ストリームのための三次元ビデオコンポーネント・タイプ情報が追加された「component＿type」のテーブルを図示している。
【０２３１】
【表１３】
0005964811.tif 000014
表１４及び表１５を参照して例示した、一実施形態による「component＿type」が定義する三次元ビデオコンポーネント・タイプのうち、ＭＰＥＧ−２  half  ３Ｄ  video」タイプ  または「Ｈ．２６４／ＡＶＣ  half  ３Ｄ  video」タイプは、サイドバイサイド・フォーマット、トップアンドボトム・フォーマットのような具体的な三次元映像構成フォーマットに拡張されもする。
【０２３２】
また、一実施形態による「component＿type」が定義する三次元ビデオコンポーネント・タイプのうち、フル解像度の「ＭＰＥＧ−２  ３Ｄ  video」タイプ、または「Ｈ．２６４／ＡＶＣ  ３Ｄ  video」タイプは、左視点ビデオの基本ストリームと、右視点ビデオの基本ストリームとがそれぞれ伝送される「Ｌ／Ｒ（２ＥＳ）」タイプ、主視点二次元ビデオの基本ストリームと付加視点ビデオの補助ストリームとが伝送される「ＭＶＣ」タイプ、主視点二次元ビデオと深度情報との組み合わせが伝送される「２Ｄ＋depth」タイプ、主視点二次元ビデオと両眼視差情報との組み合わせが伝送される「２Ｄ＋parallax」タイプ、左視点ビデオと深度情報との組み合わせが伝送される「Ｌ＋depth」タイプ、左視点ビデオと両眼視差情報との組み合わせが伝送される「Ｌ＋parallax」タイプ、左視点ビデオ・右視点ビデオ及び深度情報の組み合わせが伝送される「Ｌ＋Ｒ＋depth」タイプなどに拡張されもする。
【０２３３】
また、一実施形態によるデジタル放送コンテンツ伝送装置１００は、ＳＤＴ情報１４００またはＥＩＴ情報１５００のコンポーネント叙述子「component＿descriptor」の「stream＿content」の予備領域を利用し、三次元ビデオコンテンツ情報を追加して定義することができる。表１６は、三次元ビデオコンテンツ情報が追加された「stream＿content」のテーブルを図示している。
【０２３４】
【表１４】
0005964811.tif 000015
また、一実施形態によるデジタル放送コンテンツ伝送装置１００は、ＥＩＴ情報１５００の叙述子フィールド「descriptor（）」１５４２に挿入される、コンポーネント叙述子「component＿descriptor」の予備領域を利用し、一実施形態による２Ｄ／３Ｄコンテンツ識別情報を伝送ストリームに挿入することができる。
【０２３５】
表１７は、一実施形態によるデジタル放送コンテンツ伝送装置１００が、表１２のコンポーネント叙述子「component＿descriptor」の予備領域「reserved＿future＿use」に、一実施形態による２Ｄ／３Ｄコンテンツ識別情報を挿入した実施形態を図示している。
【０２３６】
【表１５】
0005964811.tif 000016
「３ｄ＿flag」は、現在コンポーネントが三次元コンポーネントであるか否かを示す情報を含んでもよい。例えば、「３ｄ＿flag」値が０であるならば、「３ｄ＿event」は、判読されない。
【０２３７】
「３ｄ＿event」は、表１０または表１１で例示された「３ｄ＿event」と相応する。
【０２３８】
また、一実施形態によるデジタル放送コンテンツ伝送装置１００は、表１８のように、ＥＩＴ情報１５００の叙述子フィールド「descriptor（）」１５４２に挿入される、コンテンツ叙述子「content＿descriptor」のコンテンツ属性情報を利用し、一実施形態による２Ｄ／３Ｄコンテンツ識別情報を伝送ストリームに挿入することができる。
【０２３９】
【表１６】
0005964811.tif 000017
コンテンツ叙述子「content＿descriptor」のうち、「content＿nibble＿level＿１」と「content＿nibble＿level＿２」との組み合わせを利用し、ビデオコンテンツのジャンルに係わる情報が記述される。
【０２４０】
一実施形態によるデジタル放送コンテンツ伝送装置１００は、コンテンツ叙述子「content＿descriptor」のうち「content＿nibble＿level＿２」を利用し、三次元ビデオコンテンツタイプを追加して定義することができる。表１９は、コンテンツ叙述子「content＿descriptor」のうち、「content＿nibble＿level＿１」は固定し、「content＿nibble＿level＿２」を拡張し、三次元ビデオコンテンツのジャンルが追加された実施形態を図示している。
【０２４１】
【表１７】
0005964811.tif 000018
また、一実施形態によるデジタル放送コンテンツ伝送装置１００は、コンテンツ叙述子「content＿descriptor」のうち「content＿nibble＿level＿１」を利用し、三次元ビデオコンテンツタイプを追加して定義することができる。表２０は、コンテンツ叙述子「content＿descriptor」のうち「content＿nibble＿level＿１」を拡張し、三次元ビデオコンテンツのジャンルが追加された実施形態を図示している。
【０２４２】
【表１８】
0005964811.tif 000019
一実施形態によるデジタル放送コンテンツ受信装置１００は、ＳＤＴ情報１４００の叙述子フィールド「descriptor（）」１４２２またはＥＩＴ情報１５００の叙述子フィールド「descriptor（）」１５４２のコンポーネント叙述子「component＿descriptor」から、「３ｄ＿event」、「stream＿content」または「component＿type」を判読し、現在コンテンツが三次元コンテンツであるか否かを判別し、ＥＰＧ上で、現在イベントが三次元コンテンツであるか否かを表示することができる。
【０２４３】
また、一実施形態によるデジタル放送コンテンツ受信装置１００は、ＥＩＴ情報１５００の叙述子フィールド「descriptor（）」１５４２のコンテンツ叙述子「Content＿descriptor」から現在コンテンツのジャンル属性を判読し、現在コンテンツが三次元コンテンツであるか否かを判別し、ＥＰＧ上で、現在コンテンツが二次元コンテンツまたは三次元コンテンツであるかを表示することができる。
【０２４４】
一実施形態によるデジタル放送コンテンツ伝送装置１００が、ＤＶＢ方式によってデジタル放送コンテンツを提供する場合、ＳＤＴ情報１４００の叙述子フィールド「descriptor（）」１４２０またはＥＩＴ情報１５００の叙述子フィールド「descriptor（）」１５４２の叙述子のうち、関連叙述子「linkage＿dｉscriptor」を利用し、一実施形態によって、サービス単位の２Ｄ／３Ｄコンテンツリンク情報を伝送ストリームに挿入して伝送することができる。
【０２４５】
図２０と図２１は、一実施形態によって、サービス単位の二次元コンテンツ並びに三次元コンテンツの関連関係と、イベント単位の二次元コンテンツ並びに三次元コンテンツの関連関係とを図示している。
【０２４６】
一実施形態によるサービス単位の２Ｄ／３Ｄコンテンツリンク情報は、現在コンテンツサービスについての三次元コンテンツとして、関連する三次元サービスを指す識別情報と、関連する三次元サービスの属性情報とを含んでもよい。
【０２４７】
図２０で、二次元ビデオサービス（２Ｄ  service）２０１０の関連三次元コンテンツとして、三次元ビデオサービス（３Ｄ  service）２０２０とが関連する場合、二次元ビデオサービス２０１０の２Ｄ／３Ｄコンテンツリンク情報２０２５は、三次元ビデオサービス２０２０の識別情報及び属性情報を含んでもよい。
【０２４８】
また、二次元ビデオサービス２０１０の関連三次元コンテンツとして、三次元付加情報サービス（additional  service）２０３０が関連する場合、二次元ビデオサービス２０１０の２Ｄ／３Ｄコンテンツリンク情報２０３５は、三次元付加情報サービス２０３０の識別情報及び属性情報を含んでもよい。
【０２４９】
一実施形態によるイベント単位の２Ｄ／３Ｄコンテンツリンク情報は、現在コンテンツイベントに係わる三次元コンテンツとして、関連する三次元イベントを指す識別情報と、関連する三次元イベントの属性情報とを含んでもよい。
【０２５０】
図２１で、現在サービスを介して三次元ビデオイベント（３Ｄ  event）２１００、二次元ビデオイベント（２Ｄ  event）２１０２、二次元ビデオイベント２１０４が連続して提供されているとき、二次元ビデオイベント２１０２に対して、三次元ビデオイベント２１１０が関連する場合、二次元ビデオイベント２１０２の２Ｄ／３Ｄコンテンツリンク情報２１１５は、三次元ビデオイベント２１１０の識別情報及び属性情報を含んでもよい。
【０２５１】
また、二次元ビデオイベント２１０２の関連三次元コンテンツとして、三次元付加情報イベント２１３０が関連する場合、二次元ビデオイベント２１０２の２Ｄ／３Ｄコンテンツリンク情報２１３５は、三次元付加情報サービス（additional  event）２１３０の識別情報及び属性情報を含んでもよい。
【０２５２】
従って、一実施形態による２Ｄ／３Ｄコンテンツリンク情報は、サービス単位またはイベント単位で、現在コンテンツと関連コンテンツとの関連情報を含んでもよい。
【０２５３】
一実施形態によって、サービス単位として定義される２Ｄ／３Ｄコンテンツリンク情報は、現在サービスについての情報及び関連サービスについての情報を含んでもよい。
【０２５４】
一実施形態による２Ｄ／３Ｄコンテンツリンク情報のうち、現在サービスについての情報は、ＳＤＴ情報１４００のループ１４１０のうち、予備領域「reserved＿future＿use」１４１６に挿入される。また、一実施形態によるデジタル放送コンテンツ伝送装置１００は、一実施形態による２Ｄ／３Ｄコンテンツリンク情報のうち、現在サービスについての情報を含む叙述子を生成し、ＳＤＴ情報１４００の叙述子フィールド「descriptor（）」１４２０に挿入することもできる。
【０２５５】
一実施形態による２Ｄ／３Ｄコンテンツリンク情報の現在サービスについての情報は、現在サービスタイプ情報及び現在サービスの三次元コンテンツフォーマット情報のうち、少なくとも一つを含んでもよい。
【０２５６】
表２１及び表２２は、それぞれ一実施形態による２Ｄ／３Ｄコンテンツリンク情報の現在サービスタイプ情報及び現在サービスの三次元コンテンツフォーマット情報のセマンティックスを図示している。
【０２５７】
【表１９】
0005964811.tif 000020
表２１に図示された「３ｄ＿service＿type」に基づいて、現在サービスが二次元主視点ビデオサービス、単独三次元ビデオサービス及び三次元付加情報サービスのうち一つであることを記述することができる。
【０２５８】
一実施形態によって、現在サービスが二次元主視点ビデオサービスである場合（「３ｄ＿service＿type＝０」）には、現在サービスの三次元コンテンツフォーマット情報「３ｄ＿format」は、二次元ビデオ（「３ｄ＿format＝０」）、左視点ビデオ（「３ｄ＿format＝２」）及び右視点ビデオ（「３ｄ＿format＝３」）のうち一つとして設定される。
【０２５９】
一実施形態によって、現在サービスが単独三次元ビデオサービスである場合（「３ｄ＿service＿type＝１」）には、現在サービスの三次元コンテンツフォーマット情報「３ｄ＿format」は、左視点ビデオ及び右視点ビデオの混合ビデオ（「３ｄ＿format＝１」）、付加視点ビデオ及び深度情報の組み合わせ（「３ｄ＿format＝６」）、付加視点ビデオ及び両眼視差情報の組み合わせ（「３ｄ＿format＝７」）、主視点ビデオ及び深度情報の組み合わせ（「３ｄ＿format＝８」）、及び主視点ビデオ及び両眼視差情報の組み合わせ（「３ｄ＿format＝９」）のうち一つとして設定される。
【０２６０】
一実施形態によって、現在サービスが三次元付加情報サービスである場合（「３ｄ＿service＿type＝２」）には、現在サービスの三次元コンテンツフォーマット情報「３ｄ＿format」は、左視点ビデオ（「３ｄ＿format＝２」）及び右視点ビデオ（「３ｄ＿format＝３」）、深度／視差情報（「３ｄ＿format＝４」）、両眼視差情報（「３ｄ＿format＝５」）、付加視点ビデオ及び深度情報の組み合わせ（「３ｄ＿format＝６」）、付加視点ビデオ及び両眼視差情報の組み合わせ（「３ｄ＿format＝７」）、主視点ビデオ及び深度情報の組み合わせ（「３ｄ＿format＝８」）、及び主視点ビデオ及び両眼視差情報の組み合わせ（「３ｄ＿format＝９」）のうち一つとして設定されもする。
【０２６１】
一実施形態による２Ｄ／３Ｄコンテンツリンク情報のうち、関連サービスについての情報は、ＳＤＴ情報１４００の叙述子のうち１つである関連叙述子「linkage＿descriptor」に挿入される。表２３は、一実施形態による２Ｄ／３Ｄコンテンツリンク情報の関連サービスについての情報が挿入された、ＳＤＴ情報１４００の関連叙述子フィールド「linkage＿descriptor」を変形したシンタックスを図示している。
【０２６２】
【表２０】
0005964811.tif 000021
一実施形態によるデジタル放送コンテンツ伝送装置１００は、関連叙述子「linkage＿descriptor」のうち、関連タイプ情報「linkage＿type」の予備領域に、現在二次元サービスが三次元で再生されるために、三次元サービスと関連するサービスタイプであることを示す三次元サービス関連タイプを追加して割り当てることができる。例えば、「linkage＿type」の予備領域のフィールド値０ｘ０Ｅに、三次元サービス関連タイプが割り当てられる。従って、現在サービスの関連タイプ情報が、三次元サービス関連タイプである場合（「linkage＿type＝０ｘ０Ｅ」）、「３ｄ＿viewing＿listed」、「３ｄ＿simulcast」、「３ｄ＿service＿link＿type」、「３ｄ＿link＿format」、「additional＿ｉｎｆｏ（）」が追加して定義される。
【０２６３】
「３ｄ＿viewing＿listed」は、「transport＿stream＿ｉｄ」、「original＿network＿ｉｄ」及び「service＿ｉｄ」によって指定される伝送ストリームのＳＤＴ情報に、三次元サービスが存在するか否かを記述することができる。「３ｄ＿simulcast」は、三次元サービスが、現在二次元サービスと同時に伝送されるか否かを記述することができる。
【０２６４】
「３ｄ＿service＿link＿type」は、現在二次元サービスの関連三次元サービスが、単独三次元コンテンツであるか、三次元付加情報であるかを記述することができる。「３ｄ＿link＿format」は、関連三次元サービスの三次元コンテンツフォーマット情報を記述することができる。
【０２６５】
「Additional＿ｉｎｆｏ（）」は、今後の拡張のための予備領域である。
【０２６６】
表２４及び表２５は、ＳＤＴ情報１４００の関連叙述子「linkage＿descriptor」に関連サービスについての情報として挿入される「３ｄ＿service＿link＿type」及び「３ｄ＿link＿format」のシンタックスを図示している。
【０２６７】
【表２１】
0005964811.tif 000022
表２４に図示された「３ｄ＿service＿link＿type」に基づいて、現在サービスの関連サービスが、単独三次元ビデオサービス及び三次元付加情報サービスのうち一つであることを記述することができる。
【０２６８】
一実施形態によって、関連サービスが単独三次元ビデオサービスである場合（「３ｄ＿service＿link＿type＝１」）には、関連サービスの三次元コンテンツフォーマット情報「３ｄ＿link＿format」は、左視点ビデオ及び右視点ビデオの混合ビデオ（「３ｄ＿link＿format＝１」）、付加視点ビデオ及び深度情報の組み合わせ（「３ｄ＿link＿format＝６」）、付加視点ビデオ及び両眼視差情報の組み合わせ（「３ｄ＿link＿format＝７」）、主視点ビデオ及び深度情報の組み合わせ（「３ｄ＿link＿format＝８」）、及び主視点ビデオ及び両眼視差情報の組み合わせ（「３ｄ＿link＿format＝９」）のうち一つとして設定される。
【０２６９】
一実施形態によって、関連サービスが三次元付加情報サービスである場合（「３ｄ＿service＿link＿type＝２」）には、関連サービスの三次元コンテンツフォーマット情報「３ｄ＿link＿format」は、左視点ビデオ（「３ｄ＿link＿format＝２」）及び右視点ビデオ（「３ｄ＿link＿format＝３」）、深度／視差情報（「３ｄ＿link＿format＝４」）、両眼視差情報（「３ｄ＿link＿format＝５」）、付加視点ビデオ及び深度情報の組み合わせ（「３ｄ＿link＿format＝６」）、付加視点ビデオ及び両眼視差情報の組み合わせ（「３ｄ＿link＿format＝７」）、主視点ビデオ及び深度情報の組み合わせ（「３ｄ＿link＿format＝８」）、及び主視点ビデオ及び両眼視差情報の組み合わせ（「３ｄ＿link＿format＝９」）のうち一つとして設定される。
【０２７０】
図２２は、一実施形態による二次元サービス及び三次元サービスの関連関係によるサービス単位の２Ｄ／３Ｄコンテンツリンク情報を図示している。
【０２７１】
二次元サービス（２Ｄ  service）２２００が、関連サービスとして、付加視点ビデオフォーマットの三次元サービス（Ｒ  video）２２１０と関連する場合、ＳＤＴ情報１４００の関連叙述子「linkage＿descriptor」には、次の通り設定された一実施形態による２Ｄ／３Ｄコンテンツリンク情報２２１５の関連サービスについての情報２２２０が挿入される。
【０２７２】
関連する三次元サービス２２１０が存在するので、「３ｄ＿viewing＿listed」値は、１に設定され、三次元サービス２２１０が、現在二次元サービス２２００と同時に伝送されるので、「３ｄ＿simulcast」値も１に設定される。
【０２７３】
現在二次元サービス２２００の関連三次元サービス２２１０が、単独三次元ビデオではない三次元付加情報であるから、「３ｄ＿service＿link＿type」値は、２に設定され、関連三次元サービス２２１０が、三次元付加情報のうち付加視点ビデオであるから、「３ｄ＿link＿format」値は、３に設定される。
【０２７４】
一実施形態によって、イベント単位で定義される２Ｄ／３Ｄコンテンツリンク情報は、現在イベントについての情報及び関連イベントについての情報を含んでもよい。
【０２７５】
一実施形態によるデジタル放送コンテンツ伝送装置１００は、一実施形態による２Ｄ／３Ｄコンテンツリンク情報のうち、現在イベントについての情報を含む叙述子を生成し、ＥＩＴ情報１５００のループ１５４０のうち、叙述子フィールド「descriptor（）」１５４２に挿入することができる。
【０２７６】
表２６は、一実施形態による２Ｄ／３Ｄコンテンツリンク情報のうち、現在イベントについての情報を含む三次元イベント叙述子「３ｄ＿event＿descriptor」のシンタックスを図示している。
【０２７７】
【表２２】
0005964811.tif 000023
一実施形態による三次元イベント叙述子フィールド「３ｄ＿event＿descriptor」は、現在イベントタイプ情報「３ｄ＿event＿type」と、現在イベントの三次元コンテンツフォーマット情報「３ｄ＿format」とのうち少なくとも一つを含む。
【０２７８】
表２７は、一実施形態による２Ｄ／３Ｄコンテンツリンク情報のうち、現在イベントについての情報を含む三次元イベント叙述子フィールド「３ｄ＿event＿descriptor」のうち、現在イベントタイプ情報を記述するための「３ｄ＿event＿type」のセマンティックスを図示している。
【０２７９】
【表２３】
0005964811.tif 000024
表２７に図示された「３ｄ＿event＿type」に基づいて、現在イベントが二次元主視点ビデオイベント、単独三次元ビデオイベント及び三次元付加情報イベントのうち一つであることを記述することができる。
【０２８０】
一実施形態によるイベント単位の２Ｄ／３Ｄコンテンツリンク情報のうち、現在イベントの三次元コンテンツフォーマット情報「３ｄ＿format」は、表２２の現在サービスの三次元コンテンツフォーマット情報「３ｄ＿format」と同じ方式として決定される。
【０２８１】
一実施形態による２Ｄ／３Ｄコンテンツリンク情報のうち関連イベントについての情報は、ＥＩＴ情報１５００の叙述子のうち１つである関連叙述子「linkage＿descriptor」に挿入される。表２８は、一実施形態による２Ｄ／３Ｄコンテンツリンク情報の関連イベントについての情報が挿入された、ＥＩＴ情報１５００の関連叙述子フィールド「linkage＿descriptor」を変形したシンタックスを図示している。
【０２８２】
【表２４】
0005964811.tif 000025
一実施形態によるデジタル放送コンテンツ伝送装置１００は、関連叙述子「linkage＿descriptor」のうち関連タイプ情報「linkage＿type」の予備領域に、現在二次元イベントを、三次元で再生するために、三次元イベントと関連する、三次元イベント関連タイプを追加することができる。例えば、「linkage＿type」の予備領域のフィールド値０ｘ０Ｅに、三次元イベント関連タイプが割り当てられる。従って、現在イベントの関連タイプ情報が三次元イベント関連タイプである場合（「linkage＿type＝０ｘ０Ｅ」）、「３ｄ＿viewing＿event＿ｉｄ」、「３ｄ＿viewing＿listed」、「３ｄ＿simulcast」、「３ｄ＿event＿link＿type」、「３ｄ＿link＿format」、「additional＿ｉｎｆｏ（）」が追加して定義される。
【０２８３】
「３ｄ＿viewing＿event＿ｉｄ」は、現在二次元イベントを三次元で再生するために必要な関連三次元イベントの識別情報を含んでもよい。「３ｄ＿viewing＿listed」は、「transport＿stream＿ｉｄ」、「original＿network＿ｉｄ」及び「service＿ｉｄ」によって指定される伝送ストリームのＳＤＴ情報に、三次元イベントが存在するか否かを記述することができる。「３ｄ＿simulcast」は、三次元イベントが、現在二次元イベントと同時に伝送されるか否かを記述することができる。
【０２８４】
「３ｄ＿event＿link＿type」は、現在二次元イベントの関連三次元イベントが、単独三次元コンテンツであるか、三次元付加情報であるかを記述することができる。「３ｄ＿link＿format」は、関連三次元イベントの三次元コンテンツフォーマット情報を記述することができる。
【０２８５】
「Additional＿ｉｎｆｏ（）」は、今後拡張のための予備領域である。
【０２８６】
表２９は、ＥＩＴ情報１５００の関連叙述子「linkage＿descriptor」に関連したサービスについての情報として挿入される「３ｄ＿event＿link＿type」のシンタックスを図示している。
【０２８７】
【表２５】
0005964811.tif 000026
表２９に図示された「３ｄ＿event＿link＿type」に基づいて、現在イベントの関連イベントが、単独三次元ビデオサービス及び三次元付加情報サービスのうち一つであることを記述することができる。
【０２８８】
一実施形態によるイベント単位の２Ｄ／３Ｄコンテンツリンク情報のうち、関連イベントの三次元コンテンツフォーマット情報「３ｄ＿format」は、表２５の関連サービスの三次元コンテンツフォーマット情報「３ｄ＿format」と同じ方式として決定される。
【０２８９】
図２３は、一実施形態による二次元イベント及び三次元イベントの関連関係によるイベント単位の２Ｄ／３Ｄコンテンツリンク情報を図示している。
【０２９０】
二次元サービス（２Ｄ  service）２３００が関連サービスとして、付加視点ビデオフォーマットの三次元イベント（Ｒ  video  event）２３１０と関連する場合、ＥＩＴ情報１５００の関連叙述子「linkage＿descriptor」には、次の通り設定された一実施形態による２Ｄ／３Ｄコンテンツリンク情報２３１５の関連サービスについての情報２３２０が挿入される。
【０２９１】
関連する三次元イベント２３１０が存在し、関連する三次元イベント２３１０のイベント識別情報「event＿ｉｄ」が８であり、三次元イベント２３１０が、現在二次元イベント２２００と同時に伝送されるので、「３ｄ＿viewing＿event＿ｉｄ＝８」、「３ｄ＿viewing＿listed＝１」、「３ｄ＿simulcast＝１」に設定される。
【０２９２】
現在二次元イベント２３００の関連三次元イベント２３１０が、単独三次元ビデオではない三次元付加情報の付加視点ビデオであるから、「３ｄ＿service＿link＿type＝２」、「３ｄ＿link＿format＝３」に設定される。
【０２９３】
従って、一実施形態によるデジタル放送コンテンツ受信装置２００は、ＳＤＴ情報１４００またはＥＩＴ情報１５００の関連叙述子「linkage＿descriptor」から、２Ｄ／３Ｄコンテンツリンク情報を検出して判読し、現在サービスのサービスタイプまたは現在イベントのイベントタイプを決定し、現在サービスまたは現在イベントを三次元で再生するために必要な関連サービスまたは関連イベントを検索できる。またＳＤＴ情報１４００またはＥＩＴ情報１５００に基づいて、サービス単位またはイベント単位で、現在コンテンツを三次元で再生するための関連コンテンツが検出することができる。これによって、三次元で再生可能な三次元サービスまたは三次元イベントが決定されるならば、一実施形態によるデジタル放送コンテンツ受信装置２００は、ＥＰＧ画面上で、三次元再生が可能なサービスまたはイベントが識別されるように表示されもする。
【０２９４】
また、一実施形態によるデジタル放送コンテンツ伝送装置１００は、ＢＡＴ情報１２００の叙述子フィールド「descriptor（）」１２４２、及びＮＩＴ情報１３００の叙述子フィールド「descriptor（）」１３３２を利用し、一実施形態による２Ｄ／３Ｄコンテンツリンク情報を伝送することができる。
【０２９５】
ＢＡＴ情報１２００及びＮＩＴ情報１３００の第１ループ１３２０の「original＿network＿ｉｄ」１２３４，１３２４、「transport＿stream＿ｉｄ」１２３２，１３２２に基づいて、それぞれの伝送ストリームが固有に定義され、第２ループ１２４０，１３３０の叙述子フィールド「descriptor（）」１２４２，１３３２に、それぞれの伝送ストリームの属性情報が含まれもする。
【０２９６】
ＢＡＴ情報１２００及びＮＩＴ情報１３００の第２ループ１２４０，１３３０の叙述子フィールド「descriptor（）」１２４２，１３３２の叙述子のうち、サービスリスト叙述子「service＿list＿descriptor」は、１つの伝送ストリームを介して提供されるサービスについての情報を記述することができる。
【０２９７】
一実施形態によるデジタル放送コンテンツ伝送装置１００は、ＢＡＴ情報１２００及びＮＩＴ情報１３００のサービスリスト叙述子「service＿list＿descriptor」を利用し、一実施形態による２Ｄ／３Ｄコンテンツリンク情報のうち、現在コンテンツについての情報を伝送することができる。
【０２９８】
図１９を参照して説明した一実施形態による２Ｄ／３Ｄコンテンツ識別情報と類似した方式で、一実施形態によるデジタル放送コンテンツ伝送装置１００は、ＢＡＴ情報１２００及びＮＩＴ情報１３００のサービスリスト叙述子「service  list  descriptor」のサービスタイプ情報「service＿type」１９１０に、三次元コンテンツが提供されるサービスタイプ情報を追加して割り当てることができる。
【０２９９】
また、一実施形態によるデジタル放送コンテンツ伝送装置１００は、一実施形態による２Ｄ／３Ｄコンテンツリンク情報のうち、関連コンテンツについての情報を含む叙述子を生成し、ＢＡＴ情報１２００の叙述子フィールド「descriptor（）」１２４２、及びＮＩＴ情報１３００の叙述子フィールド「descriptor（）」１３３２に挿入して伝送することができる。または、ＢＡＴ情報１２００の叙述子フィールド「descriptor（）」１２４２、及びＮＩＴ情報１３００の叙述子フィールド「descriptor（）」１３３２の叙述子のうち、関連叙述子フィールド「linkage＿descriptor（）」の予備領域に、一実施形態による２Ｄ／３Ｄコンテンツリンク情報のうち、関連コンテンツについての情報が挿入されもする。
【０３００】
一実施形態によるデジタル放送コンテンツ受信装置２００は、ＢＡＴ情報１２００の叙述子フィールド「descriptor（）」１２４２、及びＮＩＴ情報１３００の叙述子フィールド「descriptor（）」１３３２から、２Ｄ／３Ｄコンテンツリンク情報のうち、現在コンテンツについての情報及び関連コンテンツについての情報を抽出し、現在受信されたサービスまたはイベントのうち、三次元再生のために相互関連したサービス間またはイベント間の関連関係を分析することができる。または、これを介して、三次元再生が可能なサービスまたはイベントが検出されるので、一実施形態によるデジタル放送コンテンツ受信装置２００は、ＥＰＧ画面で、三次元再生が可能なサービスまたはイベントが識別されるように表示することができる。
【０３０１】
また、一実施形態によるデジタル放送コンテンツ伝送装置１００は、ＢＡＴ情報１２００の叙述子フィールド「descriptor（）」１２４２及びＮＩＴ情報１３００の叙述子フィールド「descriptor（）」１３３２の叙述子を利用し、現在ネットワークまたは現在ブーケを介して提供されるあらゆるサービスについての２Ｄ／３Ｄコンテンツリンク情報を伝送することができる。従って、現在ネットワークまたは現在ブーケを介して提供されるサービスのための総合チャネル情報とチャネル間リンク情報とが提供される。
【０３０２】
表３０は、ＢＡＴ情報１２００の叙述子フィールド「descriptor（）」１２４２及びＮＩＴ情報１３００の叙述子フィールド「descriptor（）」１３３２に挿入するための、一実施形態によるサービスリスト叙述子「service＿list＿descriptor（）」と、関連叙述子「linkage＿descriptor（）」とのセットを図示している。
【０３０３】
【表２６】
0005964811.tif 000027
サービスリスト叙述子「service＿list＿descriptor（）」は、現在伝送ストリームを介して提供される現在サービスに関する識別情報「service＿ｉｄ＃１，＃２，＃３」を含んでもよい。関連叙述子「linkage＿descriptor＃１，＃２，＃３」は、現在サービス別に関連サービスについての識別情報を提供することができる。例えば、サービスリスト叙述子「service＿list＿descriptor（）」を利用し、現在サービスのチャネル属性情報と関連したサービスのチャネル属性情報が提供される。
【０３０４】
従って、一実施形態によるデジタル放送コンテンツ伝送装置１００は、ＢＡＴ情報１２００の叙述子フィールド「descriptor（）」１２４２、及びＮＩＴ情報１３００の叙述子フィールド「descriptor（）」１３３２の叙述子を利用し、現在ストリームを介して提供される多数のサービスに係わるサービス識別情報及び三次元再生のために、サービス間関連情報を伝送することができる。
【０３０５】
また、一実施形態によるデジタル放送コンテンツ伝送装置１００は、現在ネットワークまたは現在ブーケを介して提供されるあらゆるサービスについての２Ｄ／３Ｄコンテンツリンク情報を含む叙述子を生成し、ＢＡＴ情報１２００の叙述子フィールド「descriptor（）」１２４２、またはＮＩＴ情報１３００の叙述子フィールド「descriptor（）」１３３２に挿入することができる。これを介して、現在ネットワークまたは現在ブーケを介して提供されるサービスのための総合チャネル情報とチャネル間リンク情報とが提供される。
【０３０６】
一実施形態によるデジタル放送コンテンツ受信装置２００は、ＢＡＴ情報１２００の叙述子フィールド「descriptor（）」１２４２またはＮＩＴ情報１３００の叙述子フィールド「descriptor（）」１３３２から、現在ネットワークまたは現在ブーケを介して提供されるあらゆるサービスについての２Ｄ／３Ｄコンテンツリンク情報を抽出して判読することができる。一実施形態によるデジタル放送コンテンツ受信装置２００は、一実施形態による２Ｄ／３Ｄコンテンツリンク情報に基づいて、現在ネットワークまたは現在ブーケを介して提供されるあらゆるサービスに係わるサービスタイプ情報及び関連サービス情報を判読できるので、サービスのための総合チャネル情報とチャネル間リンク情報とが提供される。
【０３０７】
表３１は、一実施形態による２Ｄ／３Ｄコンテンツリンク情報の現在サービスについての情報と、関連サービスについての情報とをいずれも含む叙述子フィールド「ｔｓ＿channel＿descriptor（）」のシンタックスを図示している。
【０３０８】
【表２７】
0005964811.tif 000028
叙述子フィールド「ｔｓ＿channel＿descriptor（）」のうちループを利用して、現在サービス「current＿service」ごとに、現在サービスについての情報と、関連サービス「target＿service」についての情報とが設定されるので、現在伝送ストリームを介して提供されるあらゆるサービスに係わる２Ｄ／３Ｄコンテンツリンク情報が設定される。
【０３０９】
現在サービスのサービスタイプ情報を含む「current＿service＿type」は、表２２の「３ｄ＿service＿type」と類似して設定され、現在サービスの三次元コンテンツフォーマット情報を含む「current＿３ｄ＿format」は、表２３の「３ｄ＿format」と類似して設定される。関連サービスのサービスタイプ情報を含む「target＿service＿type」は、表２４の「３ｄ＿service＿link＿type」と類似して設定され、関連サービスの三次元コンテンツフォーマット情報を含む「target＿３ｄ＿format」は、表２５の「３ｄ＿link＿format」と類似して設定される。
【０３１０】
表３１の叙述子フィールド「ｔｓ＿channel＿descriptor（）」は、サービス単位の現在サービスと関連サービスとについての情報だけ含まれた実施形態を図示している。これを拡張し、一実施形態によるデジタル放送コンテンツ伝送装置１００は、現在ネットワークまたは現在ブーケを介して提供されるあらゆるサービスとイベントとについての２Ｄ／３Ｄコンテンツリンク情報を含む叙述子を生成し、ＢＡＴ情報１２００の叙述子フィールド「descriptor（）」１２４２、及びＮＩＴ情報１３００の叙述子フィールド「descriptor（）」１３３２に挿入することもできる。
【０３１１】
これにより、一実施形態によるデジタル放送コンテンツ受信装置２００は、ＢＡＴ情報１２００の叙述子フィールド「descriptor（）」１２４２、及びＮＩＴ情報１３００の叙述子フィールド「descriptor（）」１３３２の所定叙述子から、現在ストリームを介して提供される多数のサービスに係わるチャネル情報及び三次元再生のためのサービス間関連情報を検出して判読し、現在ストリームを介して提供されるサービスのチャネル情報と、三次元再生が可能なサービスとをＥＰＧ上で表示することができる。
【０３１２】
図２４は、一実施形態による２Ｄ／３Ｄコンテンツ識別情報または２Ｄ／３Ｄコンテンツリンク情報を利用し、三次元コンテンツが表示されたＥＰＧ画面を図示している。
【０３１３】
デジタル放送コンテンツ受信装置２４００は、デジタル放送ストリームを受信してコンテンツを復元して再生しつつ、復元されたコンテンツの再生画面２４００上で、ＥＰＧ画面２４２０を表示することができる。
【０３１４】
デジタル放送コンテンツ受信装置２４００が、ＡＴＳＣ方式によって、デジタル放送ストリームを受信した場合、受信されたストリームからＰＳＩＰ情報が抽出され、ＰＳＩＰ情報のＴＶＣＴ情報６００、ＥＩＴ情報７００、ＥＴＴ情報８００、ＲＲＴ情報９００及びＳＴＴ情報１０００に、ＥＰＧ画面２４２０を構成するための情報が記述されている。
【０３１５】
また、ＤＶＢ方式によって、デジタル放送ストリームが受信された場合、受信されたストリームからＳＩ情報が抽出され、ＳＩ情報のＢＡＴ情報１２００、ＮＩＴ情報１３００、ＳＤＴ情報１４００、ＥＩＴ情報１５００から、ＥＰＧ画面２４２０を構成するための情報が抽出される。
【０３１６】
例えば、デジタル放送コンテンツ受信装置２４００は、ＡＴＳＣ方式のＰＳＩＰ情報またはＤＶＢ方式のＳＩ情報から、チャネル番号ＣＨ１，ＣＨ２，ＣＨ３、イベント属性（映画（movie）、コメディー（comedy）、サッカー（soccer）、野球（baseball）、ニュース（news）、music、ゲーム（game）、イベント開始時間、放映時間などを判読し、ＥＰＧ画面２４２０を構成し、コンテンツ再生画面２４１０上で表示することができる。
【０３１７】
ＰＳＩＰ情報のＴＶＣＴ情報６００、またはＳＩ情報のＳＤＴ情報１４００、またはＥＩＴ情報１５００から、一実施形態による２Ｄ／３Ｄコンテンツ識別情報が抽出される。また、ＰＳＩＰ情報のＴＶＣＴ情報６００、またはＳＩ情報のＳＤＴ情報１４００、ＥＩＴ情報１５００から、一実施形態による２Ｄ／３Ｄコンテンツリンク情報が抽出される。一実施形態による２Ｄ／３Ｄコンテンツリンク情報は、関連コンテンツについての情報だけではなく、現在コンテンツの識別情報も含んでもよい。
【０３１８】
従って、デジタル放送コンテンツ受信装置２４００は、一実施形態による２Ｄ／３Ｄコンテンツ識別情報または一実施形態による２Ｄ／３Ｄコンテンツリンク情報を利用し、チャネル３（ＣＨ３）のイベント「music」２４３０が三次元で再生可能なイベントであることを判別することができる。デジタル放送コンテンツ受信装置２４００は、イベント「music」２４３０について、三次元コンテンツであることを識別するための標識をＥＰＧ画面２４２０に表示することができる。
【０３１９】
図２５は、一実施形態による２Ｄ／３Ｄコンテンツ識別情報または２Ｄ／３Ｄコンテンツリンク情報を利用して具現された三次元チャネル間のチャネルホッピングを支援するＥＰＧ画面及び一般ＥＰＧ画面を図示している。
【０３２０】
放送ネットワークを介して、二次元コンテンツが提供される二次元チャネルと、三次元コンテンツが提供される三次元チャネルとが混在して提供される場合、チャネルの頻繁な変更によって、視聴者が、二次元コンテンツを鑑賞していて、三次元コンテンツを鑑賞し、三次元コンテンツを鑑賞していて、二次元コンテンツを鑑賞する場合が頻繁に発生すれば、視聴者の安楽なＴＶ視聴が不可能である。また、ユーザは、三次元チャネルだけを検索して視聴しようするが、ＥＰＧ上で、二次元チャネルがいずれも表示されているならば、ユーザは、ＥＰＧ使用に不都合を感じることがある。
【０３２１】
従って、一実施形態によるデジタル放送サービス受信装置２００は、三次元再生が可能なサービスだけで構成された三次元チャネル専用ＥＰＧ画面２５００と、二次元再生／三次元再生方式と関係がなくあらゆるサービスで構成された一般ＥＰＧ画面２５１０とを選択的に表示することもできる。
【０３２２】
一実施形態によるデジタル放送サービス受信装置２００は、一実施形態による２Ｄ／３Ｄコンテンツ識別情報または一実施形態による２Ｄ／３Ｄコンテンツリンク情報を利用し、三次元サービスだけを表示する三次元チャネル専用ＥＰＧ画面２５００を構成することができる。また、三次元チャネル専用ＥＰＧ画面２５００を利用して、三次元サービスだけを選択するユーザ入力がある場合、一実施形態によるデジタル放送サービス受信装置２００は、一実施形態による２Ｄ／３Ｄコンテンツ識別情報または一実施形態による２Ｄ／３Ｄコンテンツリンク情報を利用し、三次元チャネル専用ＥＰＧ情報２５００を構成し、三次元サービスだけ検索して再生する三次元チャネルホッピング機能を具現することができる。
【０３２３】
図２６は、一実施形態によって、ＮＩＴ情報に挿入された２Ｄ／３Ｄコンテンツリンク情報に基づいて具現した、三次元チャネル用ＥＰＧ画面を図示している。
【０３２４】
現在ネットワークを介して多数の伝送ストリーム２６１０，２６２０，２６３０，２６４０，２６５０，２６６０が伝送されている。ＮＩＴ情報２６７０は、現在ネットワークについての情報を含み、伝送ストリーム２６１０，２６２０，２６３０，２６４０，２６５０，２６６０ごとに、伝送ストリーム別ＮＩＴ情報２６１２，２６２２，２６３２，２６４２，２６５２，２６６２を含んでもよい。
【０３２５】
一実施形態によるデジタル放送コンテンツ受信装置２００は、それぞれの伝送ストリーム２６１０，２６２０，２６３０，２６４０，２６５０，２６６０に係わるＮＩＴ情報２６１２，２６２２，２６３２，２６４２，２６５２，２６６２から、それぞれの伝送ストリームに含まれたあらゆるサービスに係わるチャネル属性情報及び三次元再生のためのリンク情報を抽出することができる。
【０３２６】
これによって、ＮＩＴ情報２６７０から、現在ネットワークを介して受信された伝送ストリーム２６１０，２６２０，２６３０，２６４０，２６５０，２６６０のあらゆるサービスに係わるチャネル属性情報及びリンク情報が抽出される。従って、ＮＩＴ情報２６７０から、現在ネットワークに係わる総合チャネル情報を提供することができる。
【０３２７】
一実施形態によるデジタル放送コンテンツ受信装置２００は、ＮＩＴ情報２６７０から、抽出したサービスタイプ情報に基づいて、三次元放送のための伝送ストリーム２６１０，２６３０，２６５０を検索することができる。従って、一実施形態によるデジタル放送コンテンツ受信装置２００は、三次元放送コンテンツであることが識別される伝送ストリーム２６１０，２６３０，２６５０のチャネル情報だけを検出して判読し、内部三次元チャネルホッピング機能を具現することができ、三次元チャネルＥＰＧ画面２６８０も構成することができる。
【０３２８】
図２７は、一実施形態によって、ＢＡＴ情報の叙述子として挿入された２Ｄ／３Ｄコンテンツ識別情報または２Ｄ／３Ｄコンテンツリンク情報を利用し、三次元チャネル間のチャネルホッピングを具現する方式を図示している。
【０３２９】
ＢＡＴ情報１２００の一部領域２７００のうち、第１ループ１２３０、第２ループ１２１０及び第３ループ１２２０を利用し、ブーケに含まれるサービスの集合についての情報が提供される。特に、ＢＡＴ情報１３００は、多数のサービスの集合であるブーケについての情報を含むので、三次元サービスの集合である三次元ブーケを決定し、ＢＡＴ情報１２００は、三次元ブーケを構成する三次元サービスについての情報を含んでもよい。
【０３３０】
一実施形態によるデジタル放送コンテンツ受信装置２００は、ＢＡＴ情報１２００の第１ループ１２３０の叙述子フィールド２７３０から、現在ブーケの名称「３Ｄ  Bouquet」を記述するブーケ名叙述子を判読することができる。
【０３３１】
また、一実施形態によるデジタル放送コンテンツ受信装置２００は、ＢＡＴ情報１２００の第３ループ１２２０の叙述子フィールド１２２２から、サービスリスト叙述子２７２４と、関連叙述子２７２６，２７２８とを抽出することができる。サービスリスト叙述子２７２４と、関連叙述子２７２６，２７２８は、図１９、表２３、表２８、表３０などを参照して説明した「service＿list＿descriptor」及び「linkage＿descriptor」と類似して設定される。
【０３３２】
一実施形態によるデジタル放送コンテンツ受信装置２００は、サービスリスト叙述子２７２４から、現在サービスのチャネル情報「３Ｄ  ＳＢＣ  １」を判読し、関連叙述子２７２６，２７２８から、現在サービスの関連サービスのチャネル情報「３Ｄ  ＳＢＣ  １」、「３Ｄ  ＭＢＣ  ２」を判読することができる。
【０３３３】
従って、一実施形態によるデジタル放送コンテンツ受信装置２００は、ＢＡＴ情報１２００から抽出されたチャネル情報及びリンク情報を利用し、三次元ブーケを検索し、三次元サービスのチャネルを検索することができるので、内部三次元チャネルホッピングが具現される。
【０３３４】
以下、一実施形態によるＥＰＧ  ３Ｄ再生情報の多様な実施形態について説明する。
【０３３５】
一実施形態によるデジタル放送コンテンツ伝送装置１００が、ＡＴＳＣ方式によって、デジタル放送コンテンツを提供する場合、ＴＶＣＴ情報６００の叙述子フィールド「descriptor（）」６９０、ＥＩＴ情報７００の叙述子フィールド「descriptor（）」７２０、ＥＴＴ情報８００の「ＥＴＭ＿ｉｄ」８２０、ＲＲＴ情報９００の叙述子フィールド「descriptor（）」９２０、及びＳＴＴ情報１０００の叙述子フィールド「descriptor（）」１０２０のうち少なくとも一つに、一実施形態によるＥＰＧ  ３Ｄ再生情報を含む叙述子を挿入して伝送することができる。
【０３３６】
一実施形態によるデジタル放送コンテンツ伝送装置１００が、ＤＶＢ方式によって、デジタル放送コンテンツを提供する場合、ＮＩＴ情報１３００の叙述子フィールド「descriptor（）」１３３２、ＳＤＴ情報１４００の叙述子フィールド「descriptor（）」１４２２及びＤＶＢ方式のＥＩＴ情報１５００の叙述子フィールド「descriptor（）」１５４４のうち少なくとも一つに、一実施形態によるＥＰＧ  ３Ｄ再生情報を含む叙述子を挿入して伝送することができる。
【０３３７】
一実施形態によるデジタル放送コンテンツ伝送装置１００は、ＥＰＧ画面を三次元で再生するためのＥＰＧ  ３Ｄ再生情報を、ＰＳＩＰ情報またはＳＩ情報に挿入することができる。一実施形態によるＥＰＧ  ３Ｄ再生情報は、ＥＰＧ画面を三次元で再生するための深度についての情報であって、深度、視差、両眼視差またはオフセットなどの多様な形態で利用される。
【０３３８】
また、一実施形態によるデジタル放送コンテンツ受信装置２００は、ＡＴＳＣ方式を介して受信された伝送ストリームから、セクションをギャザリングし、ＥＰＧ画面及びＥＰＧ  ３Ｄ再生情報を抽出し、ＥＰＧ  ３Ｄ再生情報を利用し、二次元ＥＰＧ画面を、三次元ＥＰＧ画面に変更して再生することができる。
【０３３９】
一実施形態によるデジタル放送コンテンツ伝送装置１００は、ＥＰＧ  ３Ｄ再生情報を含む叙述子を生成することができる。ＰＳＩＰ情報のうち、ＥＴＴ情報８００を除いて、ＴＶＣＴ情報６００、ＲＲＴ情報９００、ＳＴＴ情報１０００、ＥＩＴ情報７００は、いずれも叙述子フィールド「descriptor（）」を含む。一実施形態によるデジタル放送コンテンツ伝送装置１００は、ＰＳＩＰ情報の叙述子フィールドに、一実施形態によるＥＰＧ  ３Ｄ再生情報を含む三次元ＥＰＧ叙述子を挿入することができる。ＥＴＴ情報８００は、叙述子フィールドはないが、「ＥＴＭ＿ｉｄ」を介して、ＴＶＣＴ情報６００またはＥＩＴ情報７００と連繋し、連繋された情報の三次元ＥＰＧ叙述子を相続される。
【０３４０】
表３２は、一実施形態による三次元ＥＰＧ叙述子のシンタックスである。
【０３４１】
【表２８】
0005964811.tif 000029
「３Ｄ＿ＥＰＧ＿offset」は、三次元ＥＰＧ叙述子「３Ｄ＿ＥＰＧ＿descriptor（）」を含むＰＳＩＰ情報によってＥＰＧ画面上で表示されるＥＰＧ画面のオフセット情報を含む。
【０３４２】
「Video＿Flat」は、ＥＰＧ画面を三次元で再生するとき、現在放送されるイベントのビデオを、二次元再生モードに転換して再生するか否かを示すビデオ二次元再生情報を含む。表３３は、ビデオ二次元再生情報「Video＿Flat」のセマンティックスを図示している。
【０３４３】
【表２９】
0005964811.tif 000030
一実施形態によるデジタル放送コンテンツ受信装置２００が、ＥＰＧ  ３Ｄ再生情報に基づいて、三次元ＥＰＧ画面の左視点ＥＰＧ画面及び右視点ＥＰＧ画面を生成するために、三次元ＥＰＧオフセットを、二次元ＥＰＧ画面に視点別に異なって適用することができる。
【０３４４】
例えば、三次元ＥＰＧオフセットが、ピクセルの左右移動距離である場合、デジタル放送コンテンツ受信装置２００は、二次元ＥＰＧ画面をｘ軸に沿って、負の方向に、オフセットほど移動させることによって、左視点ＥＰＧ画面を生成し、正の方向に、オフセットほど移動させることによって、右視点ＥＰＧ画面を生成することができる。
【０３４５】
または、三次元ＥＰＧオフセットが、左右視点間の視差である場合、デジタル放送コンテンツ受信装置２００は、二次元ＥＰＧ画面を、左視点ＥＰＧ画面に固定し、二次元ＥＰＧ画面を、ｘ軸に沿って負または正の方向に、オフセットほど移動させることによって、右視点ＥＰＧ画面を生成することができる。三次元ＥＰＧオフセットの特性によって、デジタル放送コンテンツ受信装置２００が、三次元ＥＰＧ画面を生成する方法は異なりうる。
【０３４６】
一実施形態によるデジタル放送コンテンツ受信装置２００が、ＡＴＳＣ方式によって、デジタル放送コンテンツを受信する場合、ＴＶＣＴ情報６００の叙述子フィールド「descriptor（）」６９０、ＥＩＴ情報７００の叙述子フィールド「descriptor（）」７２０、ＥＴＴ情報８００の「ＥＴＭ＿ｉｄ」８２０、ＲＲＴ情報９００の叙述子フィールド「descriptor（）」９２０、及びＳＴＴ情報１０００の叙述子フィールド「descriptor（）」１０２０のうち少なくとも一つから、一実施形態によるＥＰＧ  ３Ｄ再生情報を含む叙述子を抽出し、ＥＰＧ  ３Ｄ再生情報を判読し、ＥＰＧ画面を三次元で再生することができる。
【０３４７】
一実施形態によるデジタル放送コンテンツ受信装置２００が、ＤＶＢ方式によって、デジタル放送コンテンツを受信する場合、ＮＩＴ情報１３００の叙述子フィールド「descriptor（）」１３３２、ＳＤＴ情報１４００の叙述子フィールド「descriptor（）」１４２２及びＤＶＢ方式のＥＩＴ情報１５００の叙述子フィールド「descriptor（）」１５４４のうち少なくとも一つから、一実施形態によるＥＰＧ  ３Ｄ再生情報を含む叙述子を抽出し、ＥＰＧ  ３Ｄ再生情報を判読し、ＥＰＧ画面を三次元で再生することができる。
【０３４８】
一実施形態によるデジタル放送コンテンツ受信装置２００は、ＥＰＧ  ３Ｄ再生情報に基づいて、ＥＰＧ画面を正確な位置で、三次元で再生することによって、視聴者が視覚的に感じる見づらさのような不都合を防止することができる。
【０３４９】
以下、図２８ないし図３５を参照し、三次元コンテンツを構成する２以上のストリームが、一つ以上のチャネルを介して送受信されるとき、チャネル間の関連情報を示す一実施形態による３Ｄチャネル結合情報について説明する。
【０３５０】
図２８は、一実施形態によるデジタル放送コンテンツ伝送装置１００の三次元コンテンツ伝送のための関連チャネル決定方式のフローチャートである。
【０３５１】
一実施形態によるデジタル放送コンテンツ伝送装置１００が、三次元コンテンツまたはＵＤ（ultra  definition）級コンテンツを伝送する場合、ＨＤ（high  definition）級コンテンツのデジタル放送システムよりデータ伝送量が多いので、データ圧縮率が向上されるか、あるいはデータを伝送するためのチャネルの帯域幅が増加する必要がある。
【０３５２】
一実施形態によるデジタル放送コンテンツ伝送装置１００は、１チャネルの帯域幅は固定されても、複数個のチャネルを使用して、データ伝送のためのチャネル帯域幅を拡張させることによって、三次元放送コンテンツを提供するデジタル放送コンテンツを伝送することができる。
【０３５３】
これにより、段階２８１０で、一実施形態によるデジタル放送コンテンツ伝送装置１００は、現在コンテンツを伝送するための総帯域幅を決定し、必要なチャネルの個数を決定することができる。
【０３５４】
段階２８２０で、一実施形態によるデジタル放送コンテンツ伝送装置１００が、２以上のチャネルを利用し、現在コンテンツを伝送しようとするとき、現在コンテンツと関連したコンテンツを、現在チャネルの隣接したチャネルまたは隣接していないチャネルとするかを決定する。例えば、デジタル放送コンテンツ伝送装置１００が、ＡＴＳＣ方式による場合、ＳＦＮ（single  frequency  network）システムを支援することができないので、関連チャネルとして非隣接チャネルを選択することができる。
【０３５５】
段階２８３０で、一実施形態によるデジタル放送コンテンツ伝送装置１００は、一実施形態による３Ｄチャネル結合情報を含むデジタル放送信号の制御信号を生成することができる。
【０３５６】
一実施形態による３Ｄチャネル結合情報は、複数個のチャネルが結合するか否かについての情報、現在チャネルが主チャネルであるか否かを示す情報、帯域幅サイズについての情報、関連チャネルが隣接チャネルであるか否かについての情報、関連チャネルが隣接チャネルであるならば、前チャネルまたは後チャネルであるか示す情報、関連チャネルが隣接していないチャネルであるならば、関連チャネルの周波数についての情報を含んでもよい。
【０３５７】
段階２８４０で、一実施形態によるデジタル放送コンテンツ伝送装置１００は、一実施形態による３Ｄチャネル結合情報が挿入された制御信号を、デジタル放送信号に追加することができる。例えば、一実施形態によるデジタル放送コンテンツ伝送装置１００が、ＡＴＳＣ方式による場合、ＡＴＳＣ方式のＶＳＢデータフィールド同期信号に、一実施形態による３Ｄチャネル結合情報を含む制御信号を挿入することができる。または、一実施形態によるデジタル放送コンテンツ伝送装置１００が、ＤＶＢ方式による場合、ＤＶＢ方式のＴＰＳ情報の予備領域や、Ｌ１シグナリングデータの予備領域に、一実施形態による３Ｄチャネル結合情報を含む制御信号を挿入することができる。
【０３５８】
段階２８５０で、一実施形態によるデジタル放送コンテンツ伝送装置１００は、一実施形態による３Ｄチャネル結合情報を含む制御信号が挿入されたデジタル放送信号を伝送することができる。
【０３５９】
図２９は、ＡＴＳＣ方式によるＶＳＢデータフィールド同期信号の構造を図示している。
【０３６０】
一実施形態によるデジタル放送コンテンツ伝送装置１００が、ＡＴＳＣ方式によって、放送コンテンツを送受信する場合、放送コンテンツは、ＶＳＢ信号形態に変調してＲＦ周波数に載せて伝送することができる。
【０３６１】
ＶＳＢデータフィールド同期信号２９００の１セグメントのサイズは、８３２シンボル（simbol）であり、セグメント同期信号（ｓｙｎｃ)２９１０、ランダムビット列２９２０，２９３０，２９４０，２９５０、ＶＳＢモード情報２９６０及び予備領域２９７０で構成される。一実施形態によるデジタル放送コンテンツ伝送装置１００は、ＶＳＢデータフィールド同期信号２９００の予備領域２９７０に、一実施形態による３Ｄチャネル結合情報を挿入し、ＶＳＢデータフィールド同期信号２９００を伝送することができる。
【０３６２】
また、一実施形態によるデジタル放送コンテンツ受信装置２００は、ＲＦ周波数チャネルを介して送信されたＶＳＢ信号を受信し、ＶＳＢデータフィールド同期信号２９００のうち予備領域２９７０から、一実施形態による３Ｄチャネル結合情報を抽出して判読し、現在チャネルの関連チャネルを検索し、現在チャネルと関連チャネルとを介して、三次元再生可能なコンテンツを受信することができる。
【０３６３】
図３０は、ＤＶＢ方式によるＴＰＳ情報の構造を図示している。
【０３６４】
一実施形態によるデジタル放送コンテンツ伝送装置１００が、ＤＶＢ方式によって、放送コンテンツを送受信する場合、制御信号のＴＰＳ情報を伝送することができる。
【０３６５】
ＴＰＳ情報のうち、４８番ビットから５３番ビットを含むビット列３０１０は、予備領域として割り当てられている。一実施形態によるデジタル放送コンテンツ伝送装置１００は、ＴＰＳ情報の予備領域ビット列３０１０に、一実施形態による３Ｄチャネル結合情報を含む叙述子を挿入することができる。一実施形態によるデジタル放送コンテンツ受信装置２００は、ＴＰＳ情報の予備領域ビット列３０１０から、一実施形態による３Ｄチャネル結合情報を含む叙述子を検出し、現在チャネルの関連チャネルを決定することができる。
【０３６６】
図３１は、ＤＶＢ方式によるＬ１シグナリングデータの構造を図示している。
【０３６７】
ＤＶＢ方式によって伝送されるＴ２フレーム（frame）３１１０は、Ｐ１シンボル領域３１２０、Ｐ２シンボル領域３１２２及びデータシンボル（data  symbol）領域３１２４で構成される。Ｐ１シンボル領域３１２０は、Ｐ１シグナリング（signalling）領域３１３０で構成され、Ｐ２シンボル領域３１２２は、Ｌ１−プレシグナリング（pre  signalling）領域３１３２と、Ｌ１−ポストシグナリング（post  signalling）領域３１３４とで構成される。Ｌ１−ポストシグナリング領域３１３４は、設定可能領域(configurable)３１４０、動的領域（dynamic）３１５０、拡張領域（extension）３１６０、ＣＲＣ領域３１７０及びＬ１パッディング（padding）領域３１８０から構成される。
【０３６８】
一実施形態によるデジタル放送コンテンツ伝送装置１００は、Ｌ１−プレシグナリング領域３１３２と、Ｌ１−ポストシグナリング領域３１３４との予備領域に、一実施形態による３Ｄチャネル結合情報を挿入することができる。一実施形態によるデジタル放送コンテンツ受信装置２００は、Ｌ１−プレシグナリング領域３１３２の予備領域から、一実施形態による３Ｄチャネル結合情報を検出して関連チャネルを検索することができる。
【０３６９】
図３２と図３３は、Ｌ１プレシグナリングデータとＬ１ポストシグナリングデータとのシグナリングフィールドを図示している。
【０３７０】
一実施形態によるデジタル放送コンテンツ伝送装置１００が、相互結合された非隣接チャネルを介して、ＤＶＢ−Ｔ２方式によって、三次元コンテンツを伝送する場合、Ｌ１プレシグナリングデータとＬ１ポストシグナリングデータとを利用し、一実施形態による３Ｄチャネル結合情報を伝送することができる。
【０３７１】
一実施形態によるデジタル放送コンテンツ伝送装置１００は、Ｌ１−プレシグナリング領域３１３２のシグナリングフィールド３２１０のうち予備領域「RESERVED」３２２０に、一実施形態による３Ｄチャネル結合情報を挿入することができる。特に、３Ｄチャネル結合情報のうち関連チャネルの周波数についての情報は、Ｌ１−ポストシグナリング領域３１３４の設定可能領域３１４０のシグナリングフィールド３２１０のうち、「FREQUENCY」３３３０に挿入することができる。
【０３７２】
また、一実施形態によるデジタル放送コンテンツ伝送装置１００は、Ｌ１−プレシグナリング領域３１３２のシグナリングフィールド３２１０のうち、「ＮＵＭ＿ＲＦ」３２３０と「CURRENT＿ＲＦ＿ＩＤＸ」３２４０に、一実施形態による３Ｄチャネル結合情報のうち、関連チャネルの個数についての情報と、現在チャネルが主チャネルであるか否かについての情報とを挿入したり連動させることができる。
【０３７３】
一実施形態によるデジタル放送コンテンツ受信装置２００は、Ｌ１−プレシグナリング領域３１３２の予備領域「RESERVED」３２２０から、一実施形態による３Ｄチャネル結合情報を検出することができる。また、一実施形態によるデジタル放送コンテンツ受信装置２００は、Ｌ１−ポストシグナリング領域３１３４の設定可能領域３１４０の「FREQUENCY」３３３０から、関連チャネルの周波数についての情報を判読することもできる。
【０３７４】
また、一実施形態によるデジタル放送コンテンツ受信装置２００は、Ｌ１−プレシグナリング領域３１３２の「ＮＵＭ＿ＲＦ」３２３０と「CURRENT＿ＲＦ＿ＩＤＸ」３２４０とから、一実施形態による３Ｄチャネル結合情報のうち、関連チャネルの個数についての情報と、現在チャネルが主チャネルであるか否かについての情報とを判読することもできる。
【０３７５】
一実施形態によるデジタル放送コンテンツ受信装置２００は、ＡＴＳＣ方式のＶＳＣデータフィールド同期信号、ＤＶＢ方式のＴＰＳ情報、またはＬ１シグナリングデータの予備領域から、複数個のチャネルが結合するか否かについての情報「ｃｈ＿bonding＿flag」、現在チャネルが主チャネルであるか示す情報「primary＿ｃｈ＿flag」、帯域幅サイズについての情報「ｃｈ＿extension＿ｎｕｍ」、関連チャネルが隣接チャネルであるか否かについての情報「adjacent＿ｃｈ＿bonding＿flag」、関連チャネルが隣接チャネルであるならば、前チャネルまたは後チャネルであるかを示す情報「previous＿ｃｈ＿flag」，「next＿ｃｈ＿flag」、関連チャネルの周波数についての情報「ｃｈ＿frequency」のうち少なくとも一つを検出し、一実施形態によるチャネル間の結合関係を分析することができる。
【０３７６】
例えば、「ｃｈ＿bonding＿flag」値が「１」である場合、複数個のチャネルが結合されていることを示し、「０」である場合には、チャネルが結合されていないと解釈される。
【０３７７】
「primary＿ｃｈ＿flag」値が「１」である場合、現在チャネルが主チャネルであると解釈され、「０」である場合、付加映像を伝送する付加チャネルであると解釈される。
【０３７８】
「ｃｈ＿extension＿ｎｕｍ」値が「００」である場合、総帯域幅が単一チャネルの帯域幅であると解釈され、「０１」である場合、２つのチャネルの帯域幅、「１０」である場合、３つのチャネルの帯域幅、「１１」である場合、４つのチャネルの帯域幅であると分析されもする。
【０３７９】
「Adjacent＿ｃｈ＿bonding＿flag」値が「１」である場合、現在チャネルが隣接チャネルと結合されると解釈され、「０」である場合、現在チャネルが隣接していないチャネルと結合されると判読される。
【０３８０】
「Adjacent＿ｃｈ＿bonding＿flag」値が「１」である場合、「previous＿ｃｈ＿flag」と「next＿ｃｈ＿flag」とが検出でき、「previous＿ｃｈ＿flag」値が「１」であるならば、現在チャネルが以前チャネルと結合されると解釈され、「next＿ｃｈ＿flag」値が「１」であるならば、現在チャネルが次のチャネルと結合されると判読される。
【０３８１】
「Adjacent＿ｃｈ＿bonding＿flag」値が「０」である場合、「ｃｈ＿frequency」が検出され、「ｃｈ＿frequency」値は、現在チャネルと結合される隣接していない関連チャネルの周波数を指すことができる。
【０３８２】
図３４と図３５は、一実施形態によって、現在チャネルの関連チャネルが隣接した場合と、隣接していない場合とを図示している。
【０３８３】
図３４は、現在チャネル３４１０が、隣接する関連チャネル３４２０と結合された場合を例示している。現在チャネル３４１０と関連チャネル３４２０とのそれぞれの帯域幅は、６ＭＨｚであり、チャネル結合によって、総１２ＭＨｚの帯域幅を介して、三次元放送コンテンツまたはＵＤ級放送コンテンツが送受信される。
【０３８４】
現在チャネル３４１０は、主チャネルであり、現在チャネル３４１０に隣接しつつ、次のチャネルである１つの関連チャネル３４２０と結合しており、関連チャネル３４２０は、付加情報チャネルに隣接する１つの以前チャネルの現在チャネル３４１０と結合しているので、現在チャネル３４１０と、関連チャネル３４２０とに係わる３Ｄチャネル結合情報は、表３４のように設定される。
【０３８５】
【表３０】
0005964811.tif 000031
図３５は、現在チャネル３５１０が、隣接していない関連チャネル３５２０と結合された場合を例示している。現在チャネル３５１０及び関連チャネル３５２０も、それぞれの帯域幅が６ＭＨｚであり、チャネル結合によって、総１２ＭＨｚの帯域幅を利用し、デジタル放送コンテンツが送受信される。
【０３８６】
現在チャネル３５１０は、主チャネルであり、現在チャネル３５１０に隣接していない１つの関連チャネル３５２０と結合しており、関連チャネル３５２０は、付加情報チャネルに隣接していない１つのチャネルの現在チャネル３５１０と結合しているので、現在チャネル３５１０と関連チャネル３５２０とに係わる３Ｄチャネル結合情報は、表３５のように設定される。
【０３８７】
【表３１】
0005964811.tif 000032
「ｃｈ＿frequency」は、伝送ストリームのＰＳＩＰ情報またはＳＩ情報から判読されもする。
【０３８８】
また、一実施形態によるデジタル放送コンテンツ伝送装置１００は、一実施形態による３Ｄチャネル結合情報を、ＡＴＳＣ方式のＰＭＴ情報及びＶＣＴ情報、ＤＶＢ方式のＮＩＴ情報及びＳＤＴ情報のうち少なくとも１つの叙述子フィールドに挿入することもできる。ＰＭＴ情報、ＶＣＴ情報、ＮＩＴ情報またはＳＤＴ情報の叙述子フィールドに、「ｃｈ＿bonding＿flag」情報、「primary＿ｃｈ＿flag」情報、「ｃｈ＿extension＿ｎｕｍ」情報、「adjacent＿ｃｈ＿bonding＿flag」情報、「previous＿ｃｈ＿flag」情報、「next＿ｃｈ＿flag」情報、「ｃｈ＿frequency」情報のうち少なくとも一つを含む叙述子が挿入される。
【０３８９】
また、「ｃｈ＿bonding＿flag」情報、「primary＿ｃｈ＿flag」情報、「ｃｈ＿extension＿ｎｕｍ」情報、「adjacent＿ｃｈ＿bonding＿flag」情報、「previous＿ｃｈ＿flag」情報、及び「next＿ｃｈ＿flag」情報は、ＶＳＢデータフィールド同期信号またはＴＰＳ情報に挿入され、「ｃｈ＿frequency」情報は、ＡＴＳＣ方式のＰＭＴ情報またはＶＣＴ情報、またはＤＶＢ方式のＮＩＴ情報またはＳＤＴ情報の叙述子フィールドに挿入されもする。
【０３９０】
特に、ＶＣＴ情報またはＳＤＴ情報の叙述子フィールドを利用し、一実施形態による３Ｄチャネル結合情報が伝送される場合、ＶＣＴ情報またはＳＤＴ情報のうち、サービスタイプ情報「service＿type」の予備領域に、チャネル結合サービスタイプ「channel  bonding  service」が追加されもする。
【０３９１】
また、ＮＩＴ情報の叙述子フィールドを利用し、一実施形態による３Ｄチャネル結合情報が伝送される場合、ＮＩＴ情報の関連叙述子「linkage＿descriptor」の関連タイプ情報「linkage＿type」の予備領域に、チャネル結合サービスタイプ「channel  bonding  service」が追加されもする。
【０３９２】
従って、一実施形態によるデジタル放送コンテンツ受信装置２００は、ＡＴＳＣ方式のＰＭＴ情報及びＶＣＴ情報、ＤＶＢ方式のＮＩＴ情報及びＳＤＴ情報のうち少なくとも１つの叙述子フィールドから、一実施形態による３Ｄチャネル結合情報を抽出して判読し、チャネル間の結合関係を分析して三次元コンテンツを受信することができる。
【０３９３】
一実施形態によるデジタル放送コンテンツ伝送装置１００及び一実施形態によるデジタル放送コンテンツ受信装置２００によって、複数個のチャネルを同時に使用して放送ストリームを送受信するので、帯域幅が拡張されてデータ伝送率が向上する。また、隣接チャネルだけではなく、非隣接チャネルとの連動を介しても、さらに多くの正のデータが送受信される。
【０３９４】
一実施形態によるデジタル放送コンテンツ伝送装置１００及び一実施形態によるデジタル放送コンテンツ受信装置２００は、従来通信標準による制御信号に、一実施形態による３Ｄチャネル結合情報を追加することによって、一実施形態による３Ｄチャネル結合情報を解釈することができない既存放送システムも、従来通信標準による制御信号部分によって、デジタル放送を受信することができるように、下位互換性を保証することができる。
【０３９５】
また、一実施形態によるデジタル放送コンテンツ伝送装置１００は、ＡＴＳＣ方式によるＶＳＢデータフィールド同期信号、またはＤＶＢ方式によるＴＰＳ情報のような制御信号を利用し、放送ストリームが伝送されるチャネルの帯域幅を、一実施形態によるデジタル放送コンテンツ受信装置２００に認知させることができる。これにより、一実施形態によるデジタル放送コンテンツ受信装置２００は、さらに短時間内にチャネル間の結合関係を分析し、現在チャネルの現在コンテンツを三次元再生するために必要な関連チャネルを検索し、関連コンテンツを受信することができる。
【０３９６】
図３６は、一実施形態によるデジタル放送コンテンツ伝送方法のフローチャートである。
【０３９７】
段階３６１０で、二次元コンテンツ並びに三次元コンテンツのうち少なくとも一つを含むコンテンツが符号化され、コンテンツの符号化されたデータを含む基本ストリームが生成される。
【０３９８】
段階３６２０で、デジタル放送コンテンツの２Ｄ／３Ｄコンテンツ識別情報、２Ｄ／３Ｄコンテンツリンク情報及びＥＰＧ  ３Ｄ再生情報のうち少なくとも一つを含むサービス付加情報が生成される。一実施形態による２Ｄ／３Ｄコンテンツ識別情報、一実施形態による２Ｄ／３Ｄコンテンツリンク情報及び一実施形態によるＥＰＧ  ３Ｄ再生情報は、サービス単位またはイベント単位ごとに設定される。
【０３９９】
サービス付加情報は、ＡＴＳＣ方式のＰＳＩＰ情報またはＤＶＢ方式のＳＩ情報を含む。一実施形態による３Ｄチャネル結合情報が、サービス付加情報に挿入されもする。特に、一実施形態によるデジタル放送コンテンツの２Ｄ／３Ｄコンテンツ識別情報、２Ｄ／３Ｄコンテンツリンク情報、ＥＰＧ  ３Ｄ再生情報、３Ｄチャネル結合情報は、ＡＴＳＣ方式のＰＳＩＰ情報またはＤＶＢ方式のＳＩ情報のうち、ＥＰＧ情報を含むサービス付加情報に挿入することができる。
【０４００】
段階３６３０で、基本ストリーム及びサービス付加情報が多重化されることによって、デジタル放送コンテンツを伝送するための伝送ストリームが生成される。一実施形態による３Ｄチャネル結合情報が、伝送ストリームが載せられるチャネル変調信号の制御信号に挿入されて伝送されもする。
【０４０１】
図３７は、一実施形態によるデジタル放送コンテンツ受信方法のフローチャートである。
【０４０２】
段階３７１０で、受信された伝送ストリームから、二次元コンテンツ並びに三次元コンテンツのうち少なくとも一つを含むコンテンツの符号化されたデータが挿入された基本ストリームと、デジタル放送コンテンツに係わるサービス付加情報とが逆多重化される。伝送ストリームが受信されたチャネル復調信号の制御信号から、一実施形態による３Ｄチャネル結合情報が抽出されもする。
【０４０３】
段階３７２０で、サービス付加情報から、２Ｄ／３Ｄコンテンツ識別情報、２Ｄ／３Ｄコンテンツリンク情報及びＥＰＧ  ３Ｄ再生情報のうち少なくとも一つが抽出される。一実施形態による３Ｄチャネル結合情報が、サービス付加情報から抽出されもする。
【０４０４】
一実施形態によるデジタル放送コンテンツの２Ｄ／３Ｄコンテンツ識別情報、２Ｄ／３Ｄコンテンツリンク情報、ＥＰＧ  ３Ｄ再生情報、３Ｄチャネル結合情報は、ＡＴＳＣ方式のＰＳＩＰ情報またはＤＶＢ方式のＳＩ情報のうち、ＥＰＧ情報を含むサービス付加情報から抽出される。
【０４０５】
段階３７３０で、基本ストリームから、コンテンツの符号化されたデータが抽出されて復号化され、コンテンツが復元される。
【０４０６】
段階３７８０で、２Ｄ／３Ｄコンテンツ識別情報、２Ｄ／３Ｄコンテンツリンク情報及びＥＰＧ  ３Ｄ再生情報のうち少なくとも一つに基づいて、復元されたコンテンツとＥＰＧ画面とが、二次元または三次元で再生される。また、現在コンテンツが、二次元コンテンツまたは三次元コンテンツであるか否かが、ＥＰＧ画面に表示されもする。
【０４０７】
一実施形態による２Ｄ／３Ｄコンテンツ識別情報、または一実施形態による２Ｄ／３Ｄコンテンツリンク情報に基づいて、サービス単位またはイベント単位ごとに、サービスまたはイベントが、三次元で再生可能なコンテンツであるか否かが識別され、ＥＰＧ画面に、サービスごとにまたはイベントごとに、二次元放送コンテンツであるか三次元放送コンテンツであるかが表示されもする。
【０４０８】
また、一実施形態による２Ｄ／３Ｄコンテンツリンク情報に基づいて、サービス単位またはイベント単位ごとに、三次元再生が可能なように、相互関連したサービスまたはイベントが検出されるので、三次元サービスまたは三次元イベントを提供するチャネルだけで構成された三次元チャネルＥＰＧ画面が構成されもする。
【０４０９】
また、一実施形態によるＥＰＧ  ３Ｄ再生情報に基づいて、三次元ビデオコンテンツの三次元再生と共に、ＥＰＧ画面も三次元で再生される。
【０４１０】
一実施形態によるデジタル放送コンテンツ伝送装置１００及び一実施形態によるデジタル放送コンテンツ受信装置２００は、従来通信標準によるサービス付加情報または制御信号の余裕空間に、一実施形態による２Ｄ／３Ｄコンテンツ識別情報、２Ｄ／３Ｄコンテンツリンク情報、ＥＰＧ  ３Ｄ再生情報または３Ｄチャネル結合情報を追加する。従って、既存放送受信システムが、一実施形態によって、新たに割り当てられたり定義された２Ｄ／３Ｄコンテンツ識別情報、２Ｄ／３Ｄコンテンツリンク情報、ＥＰＧ  ３Ｄ再生情報または３Ｄチャネル結合情報を解釈することができなくても、従来通信標準によるサービス付加情報または制御信号だけを解釈してデジタル放送を受信することができるので、放送システム間の下位互換性が保証される。
【０４１１】
以上、図１ないし図３７と、表１ないし表３５とを参照し、一実施形態による２Ｄ／３Ｄコンテンツ識別情報、２Ｄ／３Ｄコンテンツリンク情報、ＥＰＧ  ３Ｄ再生情報または３Ｄチャネル結合情報の多様な使用例について開示した。しかし、説明した使用例は、本発明の原理について説明するための一実施形態であるのみ、一実施形態による２Ｄ／３Ｄコンテンツ識別情報、２Ｄ／３Ｄコンテンツリンク情報、ＥＰＧ  ３Ｄ再生情報または３Ｄチャネル結合情報が、図１ないし図３７と、表１ないし表３５とで開示された形態だけに制限されるものではない。
【０４１２】
本発明で開示されたブロック図は、本発明の原理を具現するための回路を概念的に表現した形態であると当業者に解釈されるであろう。同様に、任意のフローチャート、工程図、状態転移図、擬似コードなどは、コンピュータで読み取り可能な媒体で実質的に表現され、コンピュータまたはプロセッサが明示的に図示されていようといまいと、かようなコンピュータまたはプロセッサによって実行される多様なプロセスを示すということが、当業者に認識されるであろう。従って、前述の本発明の実施形態は、コンピュータで実行されるプログラムで作成可能であり、コンピュータで読み取り可能な記録媒体を利用し、前記プログラムを動作させる汎用デジタルコンピュータで具現される。前記コンピュータで読み取り可能な記録媒体は、マグネチック記録媒体（例えば、ＲＯＭ（read-only  memory）、フロッピー（登録商標）ディスク、ハードディスクなど）、光学的判読媒体（例えば、ＣＤ−ＲＯＭ、ＤＶＤなど）のような記録媒体を含む。
【０４１３】
図面に図示された多様な要素の機能は、適切なソフトウェアと関連してソフトウェアを実行することができるハードウェアだけではなく、専用ハードウェアの利用を介して提供される。プロセッサによって提供されるとき、かような機能は、単一専用プロセッサ、単一共有プロセッサ、または一部が共有される複数の個別プロセッサによって提供される。また、用語「プロセッサ」または「制御部」の明示的利用は、ソフトウェアを実行することができるハードウェアを排他的に指すものであると解釈されることがあってはならず、制限なしに、デジタル信号プロセッサ（ＤＳＰ）ハードウェア、ソフトウェアを保存するための判読専用メモリ（ＲＯＭ）、ＲＡＭ（random-access  memory）及び不揮発性保存装置を暗黙的に含んでもよい。
【０４１４】
本明細書の請求項で、特定機能を遂行するための手段として表現された要素は、特定機能を遂行する任意の方式を包括し、かような要素は、特定機能を遂行する回路要素の組み合わせ、または特定機能を遂行するためのソフトウェアを遂行するために適した回路と結合された、ファームウェア（firmware）、マイクロコードなどを含む任意の形態のソフトウェアを含んでもよい。
【０４１５】
本明細書で、本発明の原理の「一実施形態」及びかような表現の多様な変形を指すことは、該実施形態と関連して、特定特徴、構造、特性などが、本発明の原理の少なくとも１つの実施形態に含まれるということを意味する。従って、表現「一実施形態で」と、本明細書全体を介して開示された任意の他の変形例は、必ずしもいずれも同じ実施形態を指すものではない。
【０４１６】
本明細書で、「ＡとＢとのうち少なくとも一つ」という場合で、「〜のうち少なくとも一つ」の表現は、最初のオプション（Ａ）の選択だけ、または２番目に列挙されたオプション（Ｂ）の選択だけ、または双方のオプション（Ａ及びＢ）の選択を包括するために使われる。追加的な例として、「Ａ、Ｂ及びＣのうち少なくとも一つ」という場合は、最初に列挙されたオプション（Ａ）の選択だけ、または２番目に列挙されたオプション（Ｂ）の選択だけ、または３番目に列挙されたオプション（Ｃ）の選択だけ、または最初と２番目とに列挙されたオプション（Ａ及びＢ）の選択だけ、または２番目と３番目とに列挙されたオプション（Ｂ及びＣ）の選択だけ、またはあらゆる３個のオプションの選択（Ａ、Ｂ及びＣ）が包括される。さらに多くの項目が列挙される場合にも、当業者に明白に拡張解釈される。
【０４１７】
以上、本発明についてその望ましい実施形態を中心に説明した。
【０４１８】
本明細書を介して開示されたあらゆる実施形態と条件付き例示は、本発明の技術分野で通常の知識を有した当業者に、本発明の原理と概念とが理解されるべく一助となるようにという意図で記述されたものであり、当業者は、本発明が、本発明の本質的な特性から外れない範囲で変形された形態で具現されるということを理解することができるであろう。従って、開示された実施形態は、限定的な観点ではなく、説明的な観点から考慮されねばならない。本発明の範囲は、前述の説明ではなく、特許請求の範囲に示されており、それと同等な範囲内にあるあらゆる差異点は、本発明に含まれたものであると解釈されねばならない。
【図１】
0005964811.tif 000033
【図２】
0005964811.tif 000034
【図３】
0005964811.tif 000035
【図４】
0005964811.tif 000036
【図５】
0005964811.tif 000037
【図６】
0005964811.tif 000038
【図７】
0005964811.tif 000039
【図８】
0005964811.tif 000040
【図９】
0005964811.tif 000041
【図１０】
0005964811.tif 000042
【図１１】
0005964811.tif 000043
【図１２】
0005964811.tif 000044
【図１３】
0005964811.tif 000045
【図１４】
0005964811.tif 000046
【図１５】
0005964811.tif 000047
【図１６】
0005964811.tif 000048
【図１７】
0005964811.tif 000049
【図１８】
0005964811.tif 000050
【図１９】
0005964811.tif 000051
【図２０】
0005964811.tif 000052
【図２１】
0005964811.tif 000053
【図２２】
0005964811.tif 000054
【図２３】
0005964811.tif 000055
【図２４】
0005964811.tif 000056
【図２５】
0005964811.tif 000057
【図２６】
0005964811.tif 000058
【図２７】
0005964811.tif 000059
【図２８】
0005964811.tif 000060
【図２９】
0005964811.tif 000061
【図３０】
0005964811.tif 000062
【図３１】
0005964811.tif 000063
【図３２】
0005964811.tif 000064
【図３３】
0005964811.tif 000065
【図３４】
0005964811.tif 000066
【図３５】
0005964811.tif 000067
【図３６】
0005964811.tif 000068
【図３７】
0005964811.tif 000069